(57)【要約】【課題】両面出射型の有機発光素子の特長を生かし、発光装置の高輝度化を図ることを課題とする。【解決手段】第１の発光素子が設けられた第１の基板と、第２の発光素子が設けられた第２の基板とを有し、第１の発光素子及び第２の発光素子を挟むように、第１の基板と第２の基板は対向して設けられ、第１の基板に設けられた第１の発光素子は、第１の基板及び第２の基板の両方の方向に発光し、第２の基板に設けられた第２の発光素子は、第１の基板の方向に発光する。【選択図】図４
2011023359.tif 000002
【特許請求の範囲】
【請求項１】
第１の基板に設けられた第１の発光素子と、
第２の基板に設けられた第２の発光素子と、を有し、
前記第１の発光素子が発光する色と前記第２の発光素子が発光する色とは異なり、
前記第１及び前記第２の発光素子を挟むように、前記第１の基板と前記第２の基板とは対向して設けられ、
前記第１の発光素子の発光領域は、前記第２の発光素子の発光領域よりも大きく、且つ、前記第２の発光素子の発光領域と重なっており、
前記第１の発光素子が有する一対の電極は透明導電膜でなり、
前記第２の発光素子が有する一対の電極のうち、前記第２の基板側に設けられた電極は反射機能を有する電極であり、
前記第１の基板は透光性を有する基板であることを特徴とする発光装置。
【請求項２】
第１の基板に設けられた第１の発光素子と、
第２の基板に設けられた第２乃至第４の発光素子と、を有し、
前記第１の発光素子が発光する色と、前記第２乃至前記第４の発光素子が発光する各色とは異なり、
前記第１乃至前記第４の発光素子を挟むように、前記第１の基板と前記第２の基板とは対向して設けられ、
前記第１の発光素子の発光領域は、前記第２乃至前記第４の発光素子の各発光領域よりも大きく、且つ、前記第２乃至前記第４の発光素子の前記各発光領域と重なっており、
前記第１の発光素子が有する一対の電極は透明導電膜でなり、
前記第２乃至前記第４の発光素子が各々有する一対の電極のうち、前記第２の基板側に設けられた電極は反射機能を有する電極であり、
前記第１の基板は透光性を有する基板であることを特徴とする発光装置。
【請求項３】
請求項１において、前記第２の発光素子が発光する色は、青、赤、または緑であることを特徴とする発光装置。
【請求項４】
請求項２において、前記第２の発光素子は赤色を発光し、前記第３の発光素子は青色を発光し、前記第４の発光素子は緑色を発光することを特徴とする発光装置。
【請求項５】
請求項１乃至請求項４のいずれか一項において、前記反射機能を有する電極は、アルミニウム膜、銀膜、または金属膜を用いて形成されることを特徴とする発光装置。
【請求項６】
請求項１乃至請求項５のいずれか一項において、前記第１の発光素子は、赤色の補色、青色の補色、または緑色の補色を発光することを特徴とする発光装置。
【請求項７】
請求項１乃至請求項６のいずれか一項において、前記第１の発光素子または前記第２の発光素子を駆動するための薄膜トランジスタを有することを特徴とする発光装置。
【発明の詳細な説明】
【技術分野】
【０００１】
本発明は、有機発光素子が設けられた表示装置に関する。
特に、電界を加えることで発光が得られる有機化合物を有する発光素子（有機発光素子
）が設けられた表示装置（有機ＥＬディスプレイ）に関する。
また、このような表示装置を表示部に用いた電子機器に関する。
【背景技術】
【０００２】
有機発光素子とは、電界を加えることで発生するルミネッセンス（Ｅｌｅｃｔｒｏ  Ｌ
ｕｍｉｎｅｓｃｅｎｃｅ）が得られる有機化合物（有機発光材料）を含む層（以下、有機
化合物層という）が一対の電極（第１の電極及び第２の電極）に挟まれた構造を有する有
機発光素子である。有機発光材料には、一重項励起状態から基底状態に戻る際のエネルギ
ーを発光に変換し得る材料（蛍光材料）と三重項励起状態から基底状態に戻る際のエネル
ギーを発光に変換し得る材料（リン光材料）とがある。
【０００３】
このような有機発光素子が設けられた表示装置（有機ＥＬディスプレイ）は、動画表示
に適した早い応答速度、低電圧、低消費電力駆動などの特徴を有しているため、携帯電話
や携帯情報端末をはじめ、次世代ディスプレイとして大きく注目されている。
【０００４】
有機ＥＬディスプレイは、液晶表示装置とは異なり、自発光型であるため視野角の問題
がないという特長がある。よって、屋外に用いられるディスプレイとしては、液晶ディス
プレイよりも適しており、様々な形での使用が提案されている。
【０００５】
そして、透光性基板上に設けられ、該透光性基板の両面から発光する有機発光素子（以
下、両面出射型の有機発光素子という）が知られている（例えば、特許文献１参照）。
この両面出射型の有機発光素子は、基板の両面の方向へ発光するという特長を有してい
るため、この特長を生かして様々な応用ができるものと期待されている。
【先行技術文献】
【特許文献】
【０００６】
【特許文献１】特開２００４−２６５６９１号公報
【特許文献２】特開２００５−７１６９３号公報
【０００７】
また、特許文献２には、異なる色の両面出射型の有機発光素子が形成されたパネル同士
を、各基板に設けられている有機発光素子の発光領域が、観察者から見て互いに重ならな
いように重ね合わせてフルカラー表示させる表示装置について記載されている。
【発明の概要】
【発明が解決しようとする課題】
【０００８】
本発明は、両面出射型の有機発光素子の上述した特長を生かした表示装置を提供するこ
とを課題とする。
また、両面出射型の有機発光素子を用いて有機ＥＬディスプレイの高画質化を図ること
を課題とする。
この高画質化の課題について、より具体的には次の３点の課題が挙げられる。
【０００９】
まず第１に、表示画像の明るさの調整について挙げられる。
有機ＥＬディスプレイを屋外などの周囲の明るさが明るい場所で使用する場合と屋内で
使用する場合とでは、適切な表示装置の明るさが異なるため、使用する場所の周囲の明る
さに応じて表示装置の明るさも調節する必要がある。
【００１０】
次に、色度の改善が挙げられる。
例えば、赤（Ｒ）、緑（Ｇ）、青（Ｂ）の３色でカラー表示を行う場合、色度図におい
て、赤（Ｒ）の色度座標、緑（Ｇ）の色度座標、青（Ｂ）の色度座標を頂点とした三角形
の内部に位置する色のみしか表現できなかったため、表現できる色の範囲に限界があった
。表現できる色の範囲をより広くすることができれば、表現できる色数を増やすことがで
き、より微細でリアルな画像の表示を行うことができる。
【００１１】
さらに、色のバランスの点が挙げられる。
色によって視感度が異なることが知られている。視感度とは、光に対する目の感度のこ
とであり、５５５ｎｍ付近の黄緑色の波長が最も視感度が高い。そして、５５５ｎｍより
も短波長になるに従って視感度は低下し、５５５ｎｍよりも長い波長となるに従って視感
度は低下していく。よって、赤、緑、青の３色においては、赤、青に比べ、緑色の視感度
が高くなっている。よって、この視感度を考慮して色のバランスをとる必要がある。
さらに、青色の有機発光素子は、赤色、緑色の有機発光素子に比べて輝度が低いという
問題がある。よって、赤、緑、青の輝度のバランスを調節できるようにする必要がある。
【００１２】
本発明は、これらの課題に鑑みなされたものである。
【課題を解決するための手段】
【００１３】
本発明は、
複数の有機発光素子が設けられた第１の基板と、有機発光素子が設けられた第２の基板
とを有し、
第１の基板と第２の基板は対向して設けられ、
第１の基板に設けられた有機発光素子または第２の基板に設けられた有機発光素子の少
なくとも一方の有機発光素子は、有機発光素子が形成されている基板の両面の方向に発光
し、
第１の基板に設けられた有機発光素子の発光領域と、第２の基板に設けられた有機発光
素子の発光領域は、観察者側から見て少なくとも一部において重なるように配置されてい
ることを特徴とする。
【００１４】
有機発光素子が該有機発光素子の設けられている基板の両面の方向に発光する構造とす
るには、有機発光素子の有する第１の電極及び第２の電極を透明導電膜で形成すればよい
。
よって、上記の構成において、「第１の基板に設けられた有機発光素子または第２の基
板に設けられた有機発光素子の少なくとも一方の有機発光素子は、有機発光素子が形成さ
れている基板の両面の方向に発光する」との構成は、「第１の基板に設けられた有機発光
素子または第２の基板に設けられた有機発光素子の少なくとも一方の有機発光素子の第１
の電極及び第２の電極は透明導電膜で形成されている」と換言することができる。
【００１５】
なお、ここで有機発光素子の有する第１の電極は、該有機発光素子が有する第２の電極
よりも該有機発光素子が設けられている基板側に設けられているものとする。
よって、第１の基板に設けられている有機発光素子の１対の電極のうち、第１の基板側
に設けられている電極が第１の電極である。
【００１６】
また、本発明は、上記構成において、
前記第１の基板には、第１の有機発光素子が設けられ、
前記第２の基板には第２の有機発光素子と、第３の有機発光素子と、第４の有機発光素
子とが設けられ、
前記第１乃至第４の有機発光素子によって１画素を形成していることを特徴とする。
【００１７】
また、本発明は、上記構成において、
前記第２の基板には、第１の有機発光素子が設けられ、
前記第１の基板には第２の有機発光素子と、第３の有機発光素子と、第４の有機発光素
子とが設けられ、
前記第１乃至第４の有機発光素子によって１画素を形成していることを特徴とする。
【００１８】
また、本発明は、上記構成において、
前記第１の基板には、第１の有機発光素子と、第２の有機発光素子とが設けられ、
前記第１の基板には、第３の有機発光素子と、第４の有機発光素子とが設けられ、
前記第１乃至第４の有機発光素子によって１画素を形成していることを特徴とする。
【００１９】
さらに、本発明は、
前記第１乃至第４の有機発光素子は互いに異なる色の有機発光素子であることを特徴と
する。
【００２０】
また、本発明は、上記構成において、
前記第１の基板には、第１の有機発光素子と、第２の有機発光素子と、第３の有機発光
素子とが設けられ、
前記第２の基板には第４の有機発光素子と、第５の有機発光素子と、第６の有機発光素
子とが設けられ、
前記第１乃至第６の有機発光素子によって１画素を形成していることを特徴とする。
【００２１】
さらに、本発明は、
前記第１乃至第３の有機発光素子は互いに異なる色の有機発光素子であることを特徴と
する。
【００２２】
さらに、本発明は、
前記第１乃至第６の有機発光素子は互いに異なる色の有機発光素子であることを特徴と
する。
【００２３】
つまり、本発明は、上記構成において、赤色、緑色、青色、赤色の補色、緑色の補色、
青色の補色、白色のなかから選ばれた１〜３色の有機発光素子に、赤色、緑色、及び青色
の有機発光素子を加えた４〜６色のなかから選ばれた２色または３色の有機発光素子を第
１の基板に設け、残りの有機発光素子を第２の基板に設けることを特徴とする。
【００２４】
なお、第１の基板に設ける有機発光素子と第２の基板に設ける有機発光素子との組み合
わせには、様々なものが考えられる。
よって、第１の基板に設けられた有機発光素子と第２の基板に設けられた有機発光素子
との組み合わせについて、以下の本発明の第１〜第４の構成においてより具体的に説明す
る。
【００２５】
本発明の第１の構成は、第１の基板または第２の基板に赤色、緑色、青色、白色の有機
発光素子を設ける構成である。つまり、赤色、緑色、青色、白色の４色の有機発光素子で
１画素を形成する構成である。
【００２６】
なお、本明細書中において、画像を表示するのに必要な最小単位を画素といい、画素は
複数のドットによって構成されているものとする。例えば、赤色、緑色、青色の３色によ
って画像の表示を行う場合においては、赤色のドット、緑色のドット、及び青色のドット
の３色のドットを１組として１画素を構成する。
【００２７】
よって、本発明の第１の構成は、赤色のドット、緑色のドット、青色のドット、白色の
ドットによって画素が形成されているということができる。
【００２８】
本発明の第１の構成としては、例えば、第１の基板または第２の基板の一方の基板に赤
色、緑色、青色の有機発光素子を設け、第１の基板または第２の基板の他方の基板に白色
の有機発光素子を設ける例が挙げられる。
【００２９】
赤色、緑色、青色の有機発光素子を設けた基板とは別の基板に白色の有機発光素子を設
けることによって、表示装置の表示画面全体の明るさを向上させることができる。
【００３０】
有機ＥＬディスプレイを携帯電話や携帯情報端末など、場所を問わず屋外においても屋
内においても使用する電子機器の表示部として使用する場合、画面の明るさを周囲の明る
さに応じて適切な明るさに調整しなければ視認性が悪くなる。
このような場合、赤色、緑色、青色の有機発光素子を設けた基板とは別の基板に設けら
れた白色の有機発光素子の輝度のみを上昇させることによって、画面の明るさのみを明る
くすることができる。
【００３１】
カラー表示を行うための赤色、緑色、青色の有機発光素子が設けられている基板とは別
に白色の有機発光素子が設けられた基板を設けているため、赤色、緑色、青色の有機発光
素子とは独立して白色の有機発光素子の輝度を変化させることができる。よって、表示画
面の明るさの調整を容易に行うことができる。
【００３２】
また、通常、カラー表示可能な有機ＥＬディスプレイにおいて白色の表示を行う場合、
赤色、緑色、青色の有機発光素子を発光させて、この３色を混合させることによって白色
表示を行っている。しかし、本発明のように赤色、緑色、青色の有機発光素子が設けられ
た基板と、白色の有機発光素子が設けられた基板とを重ねて設ける構成とすることによっ
て、白色表示する場合には、白色の有機発光素子のみを発光させ、赤色、緑色、青色の有
機発光素子は非発光とすることができる。よって、赤色の有機発光素子、緑色の有機発光
素子、青色の有機発光素子を発光させて白色表示を行う場合に比べて消費電力を低くする
ことができる。
【００３３】
なお、赤色、緑色、青色の有機発光素子と、白色の有機発光素子の配置の仕方は、例え
ば以下の（Ａ）（Ｂ）のいずれの場合であってもよい。
【００３４】
（Ａ）第１の基板に設けられた赤色の有機発光素子の１ドット、緑色の有機発光素子の１
ドット、及び青色の有機発光素子の１ドットが形成される領域に対向するように第２の基
板上に、白色の有機発光素子の１ドットを設ける。
【００３５】
（Ｂ）第１の基板上の赤色の有機発光素子のドット、緑色の有機発光素子のドット、青色
の有機発光素子のドットが設けられている領域に対向する第２の基板上の位置にそれぞれ
、白色の有機発光素子のドットを設ける。つまり、第１の基板上に設けられた赤色の有機
発光素子１ドットに対向するように第２の基板上に白色の有機発光素子１ドットを設け、
第１の基板上に設けられた緑色の有機発光素子１ドットに対向するように第２の基板上に
白色の有機発光素子１ドットを設け、第１の基板上に設けられた青色の有機発光素子１ド
ットに対向するように第２の基板上に白色の有機発光素子１ドットを設ける。
【００３６】
上記（Ｂ）の場合、第１の基板に設けられた赤色の有機発光素子、緑色の有機発光素子
、青色の有機発光素子のそれぞれの発光領域に対向する位置に形成された白色の有機発光
素子の輝度をそれぞれ独立に制御することができるため、赤色、緑色、青色のそれぞれの
色の調整を行うことができる。つまり、例えば、赤色の有機発光素子に対向する位置に設
けられた白色の有機発光素子のみを発光させることにより、赤色と白色の混色によってピ
ンク色を表示し、緑色と青色は、そのままの色で表示させることができ、より色の再現性
を高めることができる。
【００３７】
上記（Ａ）（Ｂ）は、第１の基板に赤色、緑色、青色の有機発光素子が設けられ、第２
の基板に白色の有機発光素子が設けられている場合を例にして説明したが、第１の基板に
設けられる有機発光素子と、第２の基板に設けられる有機発光素子を入れ替える構成も可
能である。つまり、第１の基板に白色の有機発光素子を設けて、第２の基板に赤色、緑色
、青色の有機発光素子を設けるようにしてもよい。
【００３８】
また、上記で説明した例は、一方の基板に白色の有機発光素子のみが設けられている構
成例を説明したが、赤色、緑色、青色のいずれか一色を白色の有機発光素子が設けられた
基板に形成し、赤色、緑色、青色のうち、白色の有機発光素子と同じ基板に設けた色以外
の２色の有機発光素子を他の基板に設ける構成としても良い。
つまり、例えば、第１の基板または第２の基板の一方の基板には、赤色及び緑色の有機
発光素子を設けて、第１の基板または第２の基板の他方の基板には、青色及び白色の有機
発光素子を設ける構成としても良い。
【００３９】
第１の基板または第２の基板の一方の基板に白色の有機発光素子と、赤色、緑色、青色
のうちの１色の有機発光素子とを設け、第１の基板または第２の基板の他方の基板に赤色
、緑色、青色のうちの残りの２色（第１の基板または第２の基板の一方の基板に設けた有
機発光素子の色以外の２色）の有機発光素子を設ける構成において、赤色の有機発光素子
、青色の有機発光素子の発光領域の面積を、緑色の有機発光素子の発光領域の面積に比べ
て大きくすることによって、赤色、緑色、青色のバランスをとることができる。これは、
赤色、青色は緑色と比較して視感度が低いためである。
【００４０】
また、第１の基板及び第２の基板に設けられる有機発光素子の色がそれぞれ２色である
ため、基板上に設ける画素数は同じにして基板上に３色の有機発光素子を設ける場合と比
較して、各ドットに設けられた有機発光素子を駆動するための素子の数を減らすことがで
きるため、開口率を向上させることができる。
【００４１】
本発明の第２の構成は、第１の基板または第２の基板に赤色、緑色、青色の有機発光素
子と、赤色の補色、緑色の補色、青色の補色から選ばれた１〜３色の有機発光素子とを設
ける構成である。つまり、赤色、緑色、青色の他に、赤色の補色、緑色の補色、青色の補
色から選ばれた１〜３色を組み合わせた４〜６色の有機発光素子で１画素を形成する構成
である。
【００４２】
本発明の第２の構成としては、例えば、第１の基板または第２の基板の一方の基板に、
赤色、緑色、青色の有機発光素子を設け、第１の基板または第２の基板の他方の基板に、
赤色の補色、緑色の補色、または青色の補色の有機発光素子から選ばれた１〜３色の有機
発光素子を設ける例が挙げられる。
【００４３】
赤の補色は青緑色（シアン）、青の補色は黄色（イエロー）、緑の補色は赤紫色（マゼ
ンダ）である。
これらの色の有機発光素子を形成することによって、赤色、青色、緑色のみでは表現で
きなかった色も表現できるようになり、表現できる色の範囲を広げることができ、色の再
現性を大きく改善することができる。
【００４４】
なお、必ずしも赤色、緑色、青色の３色全てに対する補色の有機発光素子を形成する必
要はない。表示したい画像に必要とされる画質に応じて第２の基板に設ける有機発光素子
の色の種類や色数は変更することができる。つまり、必要とされる画質に応じて、赤色の
補色、緑色の補色、青色の補色のうちから１〜３色を選択すればよい。
【００４５】
また、上記で説明した構成例は、第１の基板または第２の基板の一方の基板に赤色、緑
色、青色の有機発光素子を設けた例を示したが、これに限定されない。赤色、緑色、青色
のうちの２色の有機発光素子を一方の基板に設けて、赤色、緑色、青色の残りの１色の有
機発光素子と、赤色の補色、緑色の補色、青色の補色のうちから選ばれた１〜２色の有機
発光素子とを他方の基板に設けるような構成としてもよい。
【００４６】
赤色、青色は緑色と比較して視感度が低いため、上記構成において、赤色の有機発光素
子と青色の有機発光素子の発光領域の面積を緑色の有機発光素子の発光領域の面積よりも
大きくすれば、赤色、緑色、青色のバランスをとることができる。
【００４７】
このような構成例としては、
赤色の有機発光素子を第１の基板に設け、
青色の有機発光素子を第２の基板に設け、
緑色の有機発光素子を、第１の基板または第２の基板の一方の基板に設け、
赤色の補色、緑色の補色、青色の補色から選ばれた一色の有機発光素子が第１の基板ま
たは第２の基板の他方の基板に設け、
赤色の有機発光素子及び青色の有機発光素子の発光領域の面積を、緑色の有機発光素子
の発光領域の面積と比較して大きくする例が挙げられる。
【００４８】
また、第１の基板及び第２の基板に設けられる有機発光素子の色がそれぞれ２色である
場合、基板上に設ける画素数は同じにして基板上に３色の有機発光素子を設ける場合と比
較して、各ドットに設けられた有機発光素子を駆動するための素子の数を減らすことがで
きるため、開口率を向上させることができる。
【００４９】
また、本発明の第２の構成において、有機発光素子の発光色は、赤色の補色、緑色の補
色、青色の補色以外にも赤の色度座標、緑の色度座標、青の色度座標を頂点とした三角形
の範囲を広げることができるような色であればよい。よって、赤の色度座標、緑の色度座
標、青の色度座標を頂点とした三角形の範囲外に色度座標を有する色の光を放出する有機
発光素子であってもよい。
よって、赤色の補色、緑色の補色、青色の補色の代わりに、赤の色度座標、緑の色度座
標、青の色度座標を頂点とした三角形の範囲外に色度座標を有する色の光を放出する１〜
３色の有機発光素子を設ける構成としてもよい。
【００５０】
本発明の第３の構成は、
第１の基板及び第２の基板に、赤色、緑色、青色の有機発光素子を設ける構成である。
つまり、第１の基板に設けられた赤色、緑色、青色の有機発光素子と、第２の基板に設
けられた赤色、緑色、青色の有機発光素子とで１画素を形成する構成である。
【００５１】
本発明の第３の構成において、第１の基板に設けられた有機発光素子と第２の基板に設
けられた有機発光素子は、観察者側から見て、同じ色同士が重なるようにすると、より高
い輝度での表示も行うことができる。よって、より多くの階調を表現することができる。
【００５２】
なお、この際、同じ色同士の有機発光素子の発光領域の少なくとも一部が重なっていれ
ば、より高い輝度での表示も行うことができるが、異なる色の有機発光素子の発光領域の
重なる面積が大きい方が、開口率の低下を防ぐことができるので好ましい。つまり、第１
の基板に設けられる有機発光素子の発光領域と、第２の基板に設けられる有機発光素子の
発光領域が、観察者側から見てほぼ同じ位置の同じ領域において重なるようにすると最も
開口率を高くすることができる。
【００５３】
本発明の第３の構成において、第１の基板に設けられた有機発光素子と第２の基板に設
けられた有機発光素子の発光領域は、観察者側から見て、異なる色同士が重なるようにす
ると、画像の分解能を向上させることができる。
【００５４】
なお、この際、異なる色の有機発光素子の発光領域の少なくとも一部が重なっていれば
、画像の分解能を向上させることができるが、異なる色の有機発光素子の発光領域の重な
る面積が大きい方が、開口率の低下を防ぐことができるので好ましい。つまり、第１の基
板に設けられる有機発光素子の発光領域と、第２の基板に設けられる有機発光素子の発光
領域が、観察者側から見てほぼ同じ位置の同じ領域において重なるようにすると最も開口
率を高くすることができる。
【００５５】
本発明の第４の構成は、
第１の基板に赤色、緑色、青色の有機発光素子を設け、第２の基板に青色の有機発光素
子を設ける構成である。
つまり、第１の基板に設けられた赤色、緑色、青色の有機発光素子と、第２の基板に設
けられた青色の有機発光素子によって１画素を形成する構成である。
【００５６】
青色の有機発光素子は、輝度が小さいため、第２の基板に青色の有機発光素子を形成す
ることによって、青色の発光輝度を補うことができ、赤色、青色、緑色の輝度のバランス
を改善することができる。
【００５７】
上記第４の構成において、青色の有機発光素子が設けられている基板に、白色の有機発
光素子も設ける構成としても良い。
白色の有機発光素子を設けることによって、青色の発光輝度を補うと共に表示画面の明
るさを調整することができる。
【００５８】
また、上記第４の構成において、青色の有機発光素子が設けられている基板に、赤色の
補色、緑色の補色、または青色の補色のなかから１色または２色の有機発光素子も設ける
構成としても良い。
赤色の補色、緑色の補色、または青色の補色のなかから１色または２色の有機発光素子
を設けることによって、青色の発光輝度を補うと共に表現できる色の範囲を広げることが
できる。
【００５９】
以上で説明した本発明の表示装置の第１の基板と第２の基板の配置の仕方には次の２通
りの方法が考えられる。
【００６０】
まず第１の配置方法としては、第１の基板の有機発光素子が形成されている面と、第２
の基板の有機発光素子が形成されている面とを対向させて配置する方法である。
【００６１】
このような配置とすることにより、第１の基板に対しては第２の基板が対向基板の機能
を果たし、第２の基板に対しては第１の基板が対向基板の機能を果たすため、第１の基板
と第２の基板の２枚の基板のみで封止を行うことができる。従って、一方の基板にのみ有
機発光素子が形成され、対向基板によって封止している通常の表示装置とほとんど厚みが
変わらない状態とすることができる。
【００６２】
第２の配置方法は、第１の基板の有機発光素子が形成されている面と、第２の基板の有
機発光素子が形成されている面とは逆側の面とが対向するように配置する方法である。
【００６３】
この第２の配置方法の場合、第２の基板が第１の基板に対する対向基板の機能を果たす
。よって、第１の基板は第２の基板によって封止することができる。しかし、第１の基板
と第２の基板のみでは第２の基板を封止することはできない。そこで、第２の基板の有機
発光素子が形成されている面に対向するように第３の基板を設けることによって第２の基
板の封止を行う。
【００６４】
よって、第１の配置方法のほうが、第２の配置方法よりも少ない基板で封止を行うこと
ができるため、より低コストであり、また、貼り合わせた後のパネルの厚みを薄くするこ
とができるため好ましい。
【００６５】
なお、第１の基板と第２の基板を貼り合わせて封止する方法については、シート状のシ
ール剤で貼り合わせる方法や、固体封止剤を基板の貼り付け面全体に塗布して貼り合わせ
る方法や、基板の周囲のみシール剤を塗布し、充填剤を充填させて貼り合わせる方法など
、公知の様々な方法を用いることができる。
【００６６】
固体封止剤を基板の貼り付け面全体に塗布して貼り付ける方法などを用いて、第１の基
板と第２の基板の間に空気が存在しない状態とすると、光の取り出し効率を高めることが
できる。
【００６７】
上記第１、第２の配置方法のそれぞれの構成について以下に、より詳細に説明する。
【００６８】
第１の配置方法において、以下の（１）〜（３）の３つの場合が考えられる。
（１）第１の基板及び第２の基板は透光性基板であり、第１の基板に設けられた有機発光
素子及び第２の基板に設けられた有機発光素子がそれぞれの基板の両面の方向に発光する
。
（２）第１の基板は透光性基板であり、第１の基板に設けられた有機発光素子は、第１の
基板の両面の方向に発光し、第２の基板に設けられた有機発光素子は、第２の基板の有機
発光素子が設けられている面側の方向、つまり第１の基板の方向に発光する。
（３）第２の基板は透光性基板であり、第１の基板に設けられた有機発光素子は、第１の
基板の有機発光素子が設けられている面の方向、つまり第２の基板の方向に発光し、第２
の基板に設けられた有機発光素子は、第２の基板の両面の方向に発光する。
【００６９】
（１）の場合は、第１の基板及び第２の基板に表示画面が形成され、第１の基板に形成
された表示画面において視認される画像と、第２の基板に形成された表示画面において視
認される画像とは鏡像となっている。また、第１の基板及び第２の基板が透光性基板であ
るため、第１の基板及び第２の基板を通して向こう側の景色が透けて見える状態で第１の
基板上の表示画面及び第２の基板上の表示画面が形成される。
【００７０】
なお、第１の基板、第２の基板に偏光板を設けることによって、第１の基板上に形成さ
れた表示画面からも第２の基板上に形成された表示画面からも第１の基板及び第２の基板
を通して向こう側の景色が見えないようにすることも可能である。
【００７１】
（２）の場合は、第１の基板にのみ表示画面が形成され、（３）の場合は、第２の基板
にのみ表示画面が形成される。
【００７２】
また、第２の配置方法において、以下の（４）〜（６）の３つの場合が考えられる。
（４）第１の基板及び第２の基板は透光性基板であり、第１の基板に設けられた有機発光
素子及び第２の基板に設けられた有機発光素子がそれぞれの基板の両面の方向に発光する
。
（５）第１の基板は透光性基板であり、第１の基板に設けられた有機発光素子は、第１の
基板の両面の方向に発光し、第２の基板に設けられた有機発光素子は、第２の基板の有機
発光素子が設けられている面とは逆側の面の方向、つまり第１の基板の方向に発光する。
（６）第２の基板は透光性基板であり、第１の基板に設けられた有機発光素子は、第１の
基板の有機発光素子が設けられている面の方向、つまり第２の基板の方向に発光し、第２
の基板に設けられた有機発光素子は、第２の基板の両面の方向に発光する。
【００７３】
（４）の場合は、第１の基板及び第２の基板に表示画面が形成され、第１の基板に形成
された表示画面において視認される画像と、第２の基板に形成された表示画面において視
認される画像とは鏡像となっている。また、第１の基板及び第２の基板が透光性基板であ
るため、第１の基板及び第２の基板を通して向こう側の景色が透けて見える状態で表示画
面が形成される。
【００７４】
なお、第１の基板、第２の基板に偏光板を設けることによって、第１の基板上に形成さ
れた表示画面からも第２の基板上に形成された表示画面からも第１の基板及び第２の基板
を通して向こう側の景色が見えないようにすることも可能である。
【００７５】
（５）の場合は、第１の基板にのみ表示画面が形成され、（６）の場合は、第２の基板
にのみ表示画面が形成される。
【００７６】
本発明において、透光性基板として、石英基板、ガラス基板、プラスチック基板などを
使用する。基板上に薄膜トランジスタなどの素子や有機発光素子などを作製する工程にお
いて６００度を超える温度の熱処理を伴う場合は、石英基板を用いるが、６００度以下の
熱処理である場合には、ガラス基板やプラスチック基板を用いればよい。
ここで、透光性基板とは、可視光に対して透明な基板のことをいい、可視光に対して透
明とは、可視光の透過率が８０〜１００％であることを意味する。
【００７７】
上記（２）、（５）において、第１の基板として透光性の基板を用いるが、第２の基板
においては、特に透光性の基板に限定されず、透光性を有しない基板を用いてもよい。
【００７８】
また、上記（３）、（６）において、第２の基板として透光性の基板を用いるが、第１
の基板においては、特に透光性の基板に限定されず、透光性を有しない基板を用いてもよ
い。
【００７９】
以上において説明した本発明の構成において、アクティブマトリクス型の表示装置であ
ることが好ましい。
【００８０】
また、本明細書中において、有機発光素子とは、第１の電極と、第２の電極に挟まれた
膜全てが有機化合物である構造のみではなく、一部に無機化合物などが含まれているもの
も含むものとする。
【００８１】
有機発光材料には、一重項励起状態から基底状態に戻る際のエネルギーを発光に変換し
得る材料（蛍光材料）と三重項励起状態から基底状態に戻る際のエネルギーを発光に変換
し得る材料（リン光材料）とがあるが、本発明の表示装置に用いる有機発光材料としては
、どちらを用いてもよい。
【００８２】
また、有機化合物層の構成は、正孔輸送層、発光層、電子輸送層の順番で積層した構造
、正孔注入層、正孔輸送層、発光層、電子輸送層、電子注入層の順番で積層した構造など
様々な公知の構成を用いることができる。
【００８３】
そして、本発明の表示装置において、画面表示のための駆動方法は特に限定されず、例
えば、点順次駆動方法や、線順次駆動方法や、面順次駆動方法などを用いればよい。また
、有機発光素子の階調を表現する方法としては、デジタル階調であっても、アナログ階調
であってもよい。なお、表示装置のソース線に入力する信号は、アナログ信号であっても
よいし、デジタル信号であってもよく、適宜映像信号に合わせて駆動回路などを設計すれ
ばよい。
【発明の効果】
【００８４】
赤色、緑色、青色の有機発光素子を設けた基板とは別に、白色の有機発光素子を設けた
基板を設ける構成とすることにより、白色の有機発光素子の輝度のみを上昇させることが
できるため、画面の明るさのみを明るくすることができる。
カラー表示を行うための有機発光素子が形成されている基板とは別に白色の有機発光素
子が形成された基板を設けているため、赤色、緑色、青色の有機発光素子とは独立して白
色の有機発光素子の輝度を変化させることができる。よって、表示画面の明るさの調整を
容易に行うことができる。
【００８５】
また、通常、カラー表示可能な有機ＥＬディスプレイにおいて白色の表示を行う場合、
赤色、緑色、青色の有機発光素子を発光させて、この３色を混合させることによって白色
表示を行っている。しかし、本発明のように赤色、緑色、青色の有機発光素子が設けられ
た基板とは別に、白色の有機発光素子が設けられた基板を重ねて設ける構成とすることに
よって、白色表示する場合には、白色の有機発光素子のみを発光させ、赤色、緑色、青色
の有機発光素子は非発光とすることができる。よって、赤色の有機発光素子、緑色の有機
発光素子、青色の有機発光素子を発光させて白色表示を行う場合に比べて消費電力を低く
することができる。
【００８６】
赤色の有機発光素子、青色の有機発光素子の発光領域の面積は、緑色の有機発光素子の
発光領域の面積に比べて大きくすることによって、赤色、緑色、青色のバランスをとるこ
とができる。
【００８７】
赤色、緑色、青色の有機発光素子とは別に、赤の色度座標、緑の色度座標、青の色度座
標を頂点とした三角形の範囲を広げることができるような色の発光を有する有機発光素子
を設けた場合、赤、緑、青の３色のみでは表現できなかった範囲の色も表現することがで
きるため、より微細でリアルな画像の表示を行うことができる。
【００８８】
また、第１の基板に赤色、緑色、青色の有機発光素子を設け、第２の基板に赤色、緑色
、青色の有機発光素子を設け、観察者側から見て、第１の基板に設けられた有機発光素子
と第２の基板に設けられた有機発光素子の異なる色同士が重なるようにすることによって
、画像の分解能を向上させることができる。
【００８９】
また、赤色、緑色、青色の有機発光素子を設けた基板とは別に、青色の有機発光素子を
設けた基板を重ねて設けることによって、青色の発光輝度を補うことができ、赤色、青色
、緑色の輝度のバランスを改善することができる。
【図面の簡単な説明】
【００９０】
【図１】本発明の表示装置の斜視図を示す図。
【図２】実施の形態１に記載の表示装置の画素構成を示す上面図。
【図３】実施の形態１に記載の表示装置の１画素における断面構造を示す図。
【図４】実施の形態１に記載の表示装置の１画素における断面構造を示す図。
【図５】実施の形態１に記載の表示装置の１画素における断面構造を示す図。
【図６】実施の形態３に記載の表示装置の画素構成を示す上面図。
【図７】実施の形態３に記載の表示装置の１画素における断面構造を示す図。
【図８】実施の形態３に記載の表示装置の１画素における断面構造を示す図。
【図９】実施の形態３に記載の表示装置の画素構成を示す上面図。
【図１０】実施の形態３に記載の表示装置の１画素における断面構造を示す図。
【図１１】実施の形態３に記載の表示装置の１画素における断面構造を示す図。
【図１２】実施の形態４に記載の表示装置の画素構成を示す上面図。
【図１３】実施の形態４に記載の表示装置の１画素における断面構造を示す図。
【図１４】実施の形態６に記載の表示装置の画素構成を示す上面図。
【図１５】実施の形態６に記載の表示装置の１画素における断面構造を示す図。
【図１６】実施の形態６に記載の表示装置の効果を説明するための図。
【図１７】実施の形態６に記載の表示装置の効果を説明するための図。
【図１８】実施の形態２に記載の表示装置の画素構成を示す上面図。
【図１９】実施の形態２に記載の表示装置の１画素における断面構造を示す図。
【図２０】実施例１に記載の表示装置の画素構成を示す上面図。
【図２１】実施例２に記載の表示装置の画素構成を示す断面図。
【図２２】実施例２に記載の表示装置の画素構成を示す断面図。
【図２３】実施例３に記載の表示装置を示す断面図。
【図２４】実施例３に記載の表示装置を示す断面図。
【図２５】実施例４に記載の電子機器を示す図。
【図２６】実施例４に記載の電子機器を示す図。
【図２７】実施の形態３に記載の表示装置の画素構成を示す上面図。
【図２８】実施の形態３に記載の表示装置の１画素における断面構造を示す図。
【図２９】実施の形態６に記載の表示装置の画素構成を示す上面図。
【図３０】実施の形態６に記載の表示装置の１画素における断面構造を示す図。
【図３１】実施例４に記載の表示装置の１断面図。
【発明を実施するための形態】
【００９１】
本発明の実施形態について、以下に説明する。
【００９２】
（実施の形態１）
本実施の形態においては、白色の有機発光素子が形成された基板と、赤色（Ｒ）、緑色
（Ｇ）、青色（Ｂ）の有機発光素子が形成された基板とを貼り合わせた表示装置について
説明する。
本発明の表示装置の斜視図を図１に示す。
図１において、１００は赤色（Ｒ）、緑色（Ｇ）、青色（Ｂ）の有機発光素子が形成さ
れている第１の基板、１０１は白色の有機発光素子が形成されている第２の基板、１０２
は表示画面、１０３、１０４はＦＰＣ（Ｆｌｅｘｉｂｌｅ  ｐｒｉｎｔｅｄ  ｃｉｒｃｕ
ｉｔ）、１３０、１３１は周辺駆動回路である。
第１の基板１００には複数の有機発光素子が形成された画素部（図示せず）と周辺駆動
回路１３０が形成されており、第２の基板には複数の有機発光素子が形成された画素部（
図示せず）と周辺駆動回路１３１が形成されている。第１の基板１００と第２の基板１０
１は、図のように有機発光素子が形成されている面が互いに対向するように重ね合わせて
貼り合わせられている。
そして、第１の基板１００に表示画面１０２が形成されている構造となっている。
【００９３】
なお、図１においては、第１の基板及び第２の基板に周辺駆動回路を形成している場合
について示しているが、周辺駆動回路が形成されているものに限定されない。駆動回路を
ＩＣに形成し、ＩＣをＴＡＢ法やＣＯＧ法などで接続する構造としてもよい。
【００９４】
図２に、本実施例の表示装置の画素構成を示す。図２（Ａ）は、表示画面１０２側、つ
まり観察者側からみた場合の画素構成であり、図２（Ｂ）は、第１の基板における画素構
成、図２（Ｃ）は、第２の基板における画素構成を示す。図２（Ｂ）、（Ｃ）は、共に有
機発光素子が形成されている面側からみた上面図である。
図２（Ｂ）に示す画素構成を有する第１の基板と図２（Ｃ）に示す画素構成を有する第
２の基板を、互いに有機発光素子が形成されている面が対向するように重ね合わせること
によって、表示画面１０２側、つまり観察者側から見ると、図２（Ａ）に示すような画素
構成となる。
なお、図２においては、発光領域の重なり方をわかりやすくするため、配線などは記載
していない。
【００９５】
図２（Ｂ）において、２０１は赤色の有機発光素子によって形成された赤色発光領域、
２０２は、緑色の有機発光素子によって形成された緑色発光領域、２０３は、青色の有機
発光素子によって形成された青色発光領域である。
図２（Ｃ）において、２０４は白色の有機発光素子によって形成された白色発光領域で
ある。
【００９６】
図２において、右斜めの斜線部分は、第１の基板において配線や、有機発光素子を駆動
するための素子などが形成されているため、遮光されている領域を示す。また、左斜めの
斜線部分は、第２の基板において配線や、有機発光素子を駆動するための素子などが形成
されているため、遮光されている領域を示す。
よって、第１の基板と第２の基板を重ね合わせたときに、観察者側からみると、図２（
Ａ）に示すように白色発光領域の一部は、第１の基板における遮光部分によって遮光され
てしまう。
【００９７】
第１の基板の赤色発光領域２０１、緑色発光領域２０２、青色発光領域２０３、第２の
基板の白色発光領域２０４を全て発光させた場合、観察者側から見ると、発光領域２０５
、２０６、２０７の３つの異なる色の発光領域が形成されているように見える。
この場合、２０５には白色の発光によって明るくなった赤色の発光領域が形成される。
２０６には白色の発光によって明るくなった緑色の発光領域が形成される。２０７には白
色の発光によって明るくなった青色の発光領域が形成される。
【００９８】
なお、図２（Ａ）の２０５、２０６、２０７において、第２の基板の発光領域の色につ
いては括弧書きで示している。
つまり、２０５に「Ｒ」、「（Ｗ）」と記載されているのは、第１の基板の赤色の発光
領域と第２の基板の白色の発光領域が重なっていることを示し、２０６に「Ｇ」、「（Ｗ
）」と記載されているのは、第１の基板の緑色の発光領域と第２の基板の白色の発光領域
が重なっていることを示し、２０７に「Ｂ」、「（Ｗ）」と記載されているのは、第１の
基板の青色の発光領域と第２の基板の白色の発光領域が重なっていることを示す。
【００９９】
図３に図２に示す画素構成の断面図を示す。図３（Ａ）は、図２（Ａ）のＡ−Ａ’にお
ける断面図、図３（Ｂ）は、図２（Ａ）のＢ−Ｂ’における断面図である。図３は、本発
明の表示装置において、第１の基板に設けられている有機発光素子と第２の基板に設けら
れている有機発光素子の位置関係についてわかりやすく示すための断面図である。よって
、第１の基板、第１の基板上に形成された赤色、緑色、青色の有機発光素子、第２の基板
、第２の基板上に形成された白色の有機発光素子のみを示してある。つまり、実際の断面
構造では、基板上に接して有機発光素子が設けられているのではなく、基板と有機発光素
子の間には、絶縁膜などが設けられているが、基板と有機発光素子以外のものについては
省略して示している。なお、以下の実施の形態、実施例における断面図についても同様で
ある。
なお、詳細な断面構造の例については実施例において後述する。
【０１００】
図３（Ａ）において、第１の基板１００上には、赤色（Ｒ）の有機発光素子１２１、緑
色（Ｇ）の有機発光素子１２２、青色（Ｂ）の有機発光素子１２３が形成されており、第
２の基板１０１上には、白色の有機発光素子１２０が形成されている。そして、図３（Ａ
）に示すように、第１の基板１００と第２の基板１０１は、第１の基板１００上に形成さ
れている赤色の有機発光素子１２１、緑色の有機発光素子１２２、青色の有機発光素子１
２３と、第２の基板上に形成されている白色の有機発光素子１２０とが対向するように重
ね合わせて設けられている。
【０１０１】
このような構成とすることにより、第１の基板１００に対しては第２の基板１０１が対
向基板の機能を果たし、第２の基板１０１に対しては第１の基板１００が対向基板の機能
を果たすため、第１の基板１００と第２の基板１０１の２枚の基板のみで封止を行うこと
ができる。従って、一方の基板にのみ有機発光素子が形成され、対向基板によって封止し
ている通常の表示装置とほとんど厚みが変わらない状態とすることができる。
【０１０２】
第１の基板１００上に形成された有機発光素子１２１、１２２、１２３は、第１の基板
１００の有機発光素子１２１、１２２、１２３が設けられている面の方向、及び第１の基
板１００の有機発光素子１２１、１２２、１２３が設けられている面とは反対側の面の方
向に発光する両面出射型（デュアルエミッション型）の構造となっている。また、第２の
基板１０１上に形成されている白色の有機発光素子１２０は、第２の基板１０１の白色の
有機発光素子１２０が設けられている面の方向、つまり第１の基板の方向に発光する上方
出射型（トップエミッション型）の構造となっている。
なお、図３（Ａ）において、白抜きの矢印がそれぞれの有機発光素子からの発光の方向
を示している。
【０１０３】
このような構成にすることにより、白色の有機発光素子１２０、及び有機発光素子１２
１、１２２、１２３からの発光を、第１の基板１００の有機発光素子１２１、１２２、１
２３が形成されている面とは反対の面側の方向に取り出すことができる。つまり、第１の
基板１００の有機発光素子１２１、１２２、１２３が形成されている面とは反対の面に表
示画面を形成することができる。よって、第１の基板１００の有機発光素子１２１、１２
２、１２３が形成されている面とは反対の面に、白色の有機発光素子１２０の発光により
明るさが調整された画像を表示することができる。
【０１０４】
赤色の有機発光素子１２１は、第１の電極１１０、第２の電極１０８、第１の電極１１
０と第２の電極１０８に挟まれた有機化合物を含む層１０９によって構成されている。緑
色の有機発光素子１２２は、第１の電極１１３、第２の電極１１１、第１の電極１１３と
第２の電極１１１に挟まれた有機化合物を含む層１１２によって構成されている。青色の
有機発光素子１２３は、第１の電極１１６、第２の電極１１４、第１の電極１１６と第２
の電極１１４に挟まれた有機化合物を含む層１１５によって構成されている。
【０１０５】
そして、赤色の有機発光素子１２１の第１の電極１１０、第２の電極１０８、緑色の有
機発光素子１２２の第１の電極１１３、第２の電極１１１、青色の有機発光素子１２３の
第１の電極１１６、第２の電極１１４は、それぞれインジウム錫酸化物（ＩＴＯ：Ｉｎｄ
ｉｕｍ  Ｔｉｎ  Ｏｘｉｄｅ）や酸化インジウムに酸化亜鉛を含有したＩＺＯ（Ｉｎｄｉ
ｕｍ  Ｚｉｎｃ  Ｏｘｉｄｅ）などの透明導電膜を用いて形成する。
透明導電膜として用いられる材料はこれらの材料のみに限定されるものではなく、これ
以外にも金属の薄膜などを用いることもできる。
【０１０６】
なお、赤色の有機発光素子１２１の第１の電極１１０、緑色の有機発光素子１２２の第
１の電極１１３、青色の有機発光素子１２３の第１の電極１１６は同じ透明導電膜をパタ
ーニングすることによって形成されている。また、赤色の有機発光素子１２１の第２の電
極１０８、緑色の有機発光素子１２２の第２の電極１１１、青色の有機発光素子１２３の
第２の電極１１４は同じ透明導電膜をパターニングすることによって形成されている。
【０１０７】
このように各有機発光素子の第１及び第２の電極を透明導電膜で形成することによって
、両面出射型の有機発光素子とすることができる。
【０１０８】
白色の有機発光素子１２０は、第１の電極１０５、第２の電極１０７、第１の電極１０
５と第２の電極１０７に挟まれた有機化合物を含む層１０６によって構成されている。
【０１０９】
白色の有機発光素子１２０の第１の電極１０５としては、反射機能を有する電極を用い
るのが好ましい。第１の電極が反射機能を有することにより、赤色の有機発光素子１２１
、緑色の有機発光素子１２２、青色の有機発光素子１２３から第２の基板１０１側の方向
に発光した光を白色の有機発光素子１２０の第１の電極１０５によって反射することがで
きるため、赤色の有機発光素子１２１、緑色の有機発光素子１２２、青色の有機発光素子
１２３の発光を効率的に用いることができる。
【０１１０】
反射機能を有する電極を形成する材料としては、例えば、アルミニウム膜（アルミニウ
ム合金膜や添加物を含むアルミニウム膜を含む）や銀薄膜など反射率の高い金属膜が挙げ
られる。なお、第１の電極１０５は、第２の基板に形成された有機発光素子からの発光を
反射できればよいので、第１の電極１０５全体が反射機能を有する必要はない。よって、
反射率が高い金属上に透明導電膜を積層したものも用いることができる。また、第１の電
極１０５の少なくとも最表面が反射率の高い金属膜で形成されているもの、例えば、表面
（第２の基板に対向している面）にアルミニウムメッキもしくは銀メッキを施した導電膜
などを用いても良い。
【０１１１】
なお、白色の有機発光素子１２０の第１の電極１０５として、反射機能を有する電極を
用いることによって、有機発光素子１２１、１２２、１２３から第２の基板１０１側の方
向に発光した光を第１の電極によって反射することができるようにしている。よって、白
色の有機発光素子１２０の第１の電極１０５は、有機発光素子１２１、１２２、１２３に
よって形成された発光領域の全てと重なるようにするのが好ましい。このようにすること
によって、有機発光素子１２１、１２２、１２３からの発光を有効に用いることができる
。
【０１１２】
白色の有機発光素子１２０の第２の電極１０７としては、インジウム錫酸化物（ＩＴＯ
：Ｉｎｄｉｕｍ  Ｔｉｎ  Ｏｘｉｄｅ）や酸化インジウムに酸化亜鉛を含有したＩＺＯ（
Ｉｎｄｉｕｍ  Ｚｉｎｃ  Ｏｘｉｄｅ）などの透明導電膜を用いる。
透明導電膜として用いられる材料はこれらの材料のみに限定されるものではなく、これ
以外にも金属の薄膜などを用いることもできる。
【０１１３】
本実施の形態の表示装置は、赤色の画素、緑色の画素、青色の画素に対して白色の画素
が重なるように配置しているため、白色の有機発光素子の輝度のみを変化させることによ
って表示画面の明るさを調整することができる。
【０１１４】
赤色の有機発光素子、緑色の有機発光素子、青色の有機発光素子はそれぞれ電流−輝度
特性が異なっているので、表示画面全体の明るさのみ変化させたい場合、赤色、緑色、青
色のバランスを保ちながら全体的に明るさが変化するように赤色、緑色、青色の有機発光
素子の輝度を変化させなくてはならない。しかし、本実施例の表示装置では、白色の有機
発光素子の輝度のみを変化させることによって、表示画面全体の明るさのみを変化させる
ことができる。
【０１１５】
よって、周囲の明るさを検知するための光センサーを設けて、光センサーで検知した周
囲の明るさに応じて白色の有機発光素子の輝度を変化させる構成とすれば、表示装置を使
用する際の周囲の明るさに応じて、表示画面全体の明るさを変化させることができる。
【０１１６】
また、本実施の形態の表示装置は、赤色のドット、緑色のドット、及び青色のドットに
対して白色のドットが重なるように配置しているため、赤色、緑色、青色の有機発光素子
を消灯状態とし、白色の有機発光素子のみを点灯状態とすることによって白色のみでも表
示を行うことができる。
【０１１７】
通常の赤、緑、青のドットを１画素としてカラー表示を行う表示装置において、白色の
表示を行う場合には、赤色、緑色、及び青色のドットを点灯させることによって白色の表
示を行う。本実施の形態の構成の場合、赤色、緑色、青色の有機発光素子が形成されてい
る基板とは異なる基板に白色の有機発光素子が形成されているため、白色の有機発光素子
のみを点灯状態として１画素の表示を行うことができるため、赤色、緑色、青色のドット
を点灯させることによって白色表示を行う場合に比較して、消費電力を低下させることが
できる。
【０１１８】
また、白色の有機発光素子が、赤色、緑色、青色の有機発光素子と同じ基板上に形成さ
れている場合には、ひとつの基板上に形成するドット数が増加してしまうため、その分画
素数が減少してしまう。しかし、本実施の形態の構成においては、白色の有機発光素子は
、赤色、緑色、青色の有機発光素子が形成されている基板とは異なる基板に形成されてい
るため、画素数を減少させずに、カラー表示と、白色のみの表示の双方を行え、且つ白色
表示のみを行う場合には、消費電力を低下させることができる。
【０１１９】
なお、本実施例においては、図２、図３（Ａ）に示すように、第１の基板に両面出射型
の赤色の有機発光素子、緑色の有機発光素子、青色の有機発光素子を形成し、第２の基板
に上方出射型の白色の有機発光素子を形成し、第１の基板側に表示画面が形成されている
例を示したが、この構成に限定されない。
【０１２０】
例えば、図４に示すように第１の基板に設ける有機発光素子と第２の基板に設ける有機
発光素子を入れ替えた構成としても良い。
【０１２１】
図４において、図３（Ａ）と共通する構成には同じ記号を付してある。
図４の構成において、図３（Ａ）の構成と異なる点は、第１の基板１００に設ける有機
発光素子と第２の基板１０１に設ける有機発光素子を入れ替えた点である。
【０１２２】
つまり、第１の基板に白色の有機発光素子１２０を設け、第２の基板に赤色、緑色、青
色の有機発光素子１２１、１２２、１２３を設けている点、白色の有機発光素子１２０の
第１の電極１０５及び第２の電極１０７を透明導電膜で形成している点、赤色、緑色、青
色の有機発光素子１２１、１２２、１２３の第２の電極１０８、１１１、１１４を透明導
電膜で形成し、赤色、緑色、青色の有機発光素子１２１、１２２、１２３の第１の電極１
１０、１１３、１１６を反射機能を有する電極で形成している点が、図３（Ａ）の構成と
異なる。
【０１２３】
第１の基板側のみに表示画面を設ける場合には、第１の基板に設ける有機発光素子は、
両面出射型の有機発光素子とし、第２の基板に設ける有機発光素子は、上方出射型の有機
発光素子とする。よって、図４に示す構成においては、白色の発光素子１２０を両面出射
型とし、赤色、緑色、青色の有機発光素子１２１、１２２、１２３は上方出射型としてい
る。
なお、図４において、白抜きの矢印がそれぞれの有機発光素子からの発光の方向を示し
ている。
【０１２４】
また、図３（Ａ）、図４においては、第１の基板のみに表示画面を形成した場合を示し
たが、第１の基板と第２の基板の両方に表示画面を形成する構成にしても良い。
【０１２５】
第１の基板と第２の基板の両方に表示画面を形成した構成例を図５に示す。
図５においても、図３（Ａ）と共通する構成には同じ記号を付してある。
【０１２６】
図５において、図３（Ａ）と異なる点は、第２の基板１０１に設けられた白色の有機発
光素子１２０の第１の電極１０５を透明導電膜で形成している点である。
図５において、白抜きの矢印がそれぞれの有機発光素子からの発光の方向を示している
。
【０１２７】
第１の基板に設けられた有機発光素子１２１、１２２、１２３と、第２の基板に設けら
れた白色の有機発光素子１２０の第１の電極及び第２の電極は全て透明導電膜で形成され
ているため、第１の基板に設けられた有機発光素子１２１、１２２、１２３と、第２の基
板に設けられた白色の有機発光素子１２０は全て両面出射型の有機発光素子となっている
。よって、図４に示すように、第１の基板１００及び第２の基板１０１の両方から光が出
射されるため、第１の基板と第２の基板の両方に表示画面を形成することができる。
【０１２８】
第１の基板に形成された表示画面において視認される画像と、第２の基板に形成された
表示画面において視認される画像とは鏡像となっている。また、第１の基板及び第２の基
板が透光性基板であるため、第１の基板及び第２の基板を通して向こう側の景色が透けて
見える状態で表示画面が形成される。
【０１２９】
なお、第１の基板、第２の基板に偏光板を設けることによって、第１の基板上に形成さ
れた表示画面からも第２の基板上に形成された表示画面からも第１の基板及び第２の基板
を通して向こう側の景色が見えないようにすることも可能である。
【０１３０】
（実施の形態２）
本実施の形態においては、本発明の第１の構成において、（Ｂ）の配置の仕方にした場
合について説明する。
つまり、第１の基板上に設けられた赤色の有機発光素子のドットに対向するように第２
の基板上に白色の有機発光素子のドットを設け、第１の基板上に設けられた緑色の有機発
光素子のドットに対向するように第２の基板上に白色の有機発光素子のドットを設け、第
１の基板上に設けられた青色の有機発光素子のドットに対向するように第２の基板上に白
色の有機発光素子のドットを設けた場合について説明する。
なお、本実施例においては、第１の基板に表示画面が形成される（第１の基板側に表示
を行う）場合について説明する。
【０１３１】
図１８に、本実施の形態の表示装置の画素構成を示す。図１８（Ａ）は、表示画面側、つ
まり観察者側からみた場合の画素構成であり、図１８（Ｂ）は、第１の基板における画素
構成、図１８（Ｃ）は、第２の基板における画素構成を示す。図１８（Ｂ）、（Ｃ）は、
共に有機発光素子が形成されている面側からみた上面図である。
図１８（Ｂ）に示す画素構成を有する第１の基板と図１８（Ｃ）に示す画素構成を有す
る第２の基板を、互いに有機発光素子が形成されている面が対向するように重ね合わせる
ことによって、表示画面側、つまり観察者側から見ると、図１８（Ａ）に示すような画素
構成となる。
なお、図１８においては、発光領域の重なり方をわかりやすくするため、配線などは記
載していない。
【０１３２】
図１８（Ｂ）において、１２００は赤色の有機発光素子によって形成された赤色発光領
域、１２０１は緑色の有機発光素子によって形成された緑色発光領域、１２０２は青色の
有機発光素子によって形成された青色発光領域である。
図１８（Ｃ）において、１２０３、１２０４、１２０５はそれぞれ白色の有機発光素子
によって形成された白色発光領域である。
【０１３３】
また、図１８において、右斜めの斜線部分は、第１の基板において配線や、有機発光素
子を駆動するための素子などが形成されているため、遮光されている領域を示す。また、
左斜めの斜線部分は、第２の基板において配線や、有機発光素子を駆動するための素子な
どが形成されているため、遮光されている領域を示す。
本実施の形態の場合は、第１の基板に形成されている発光領域と第２の基板に形成され
ている発光領域はほぼ同じ大きさであり、同じ位置で重なるように形成されている。よっ
て、第１の基板の遮光領域と第２の基板の遮光領域もほぼ同じ位置に形成されている。
【０１３４】
第１の基板の赤色発光領域１２００、緑色発光領域１２０１、青色発光領域１２０２、
第２の基板の白色発光領域１２０３、１２０４、１２０５を全て発光させた場合、観察者
側から見ると、発光領域１２０６、１２０７、１２０８の３つの異なる色の発光領域が形
成されているように見える。
この場合、１２０６には白色の発光によって明るくなった赤色の発光領域が形成される
。１２０７には白色の発光によって明るくなった緑色の発光領域が形成される。１２０８
には白色の発光によって明るくなった青色の発光領域が形成される。
【０１３５】
なお、図１８（Ａ）において、１２０６、１２０７、１２０８は、第１の基板の発光領
域と第２の基板の発光領域が同じ位置で重なっているため、第２の基板の発光領域の色に
ついては括弧書きで示している。
つまり、１２０６に「Ｒ」、「（Ｗ）」と記載されているのは、第１の基板の赤色発光
領域と第２の基板の白色発光領域が重なっていることを示し、１２０７に「Ｇ」、「（Ｗ
）」と記載されているのは、第１の基板の緑色発光領域と第２の基板の白色発光領域が重
なっていることを示し、１２０８に「Ｂ」、「（Ｗ）」と記載されているのは、第１の基
板の青色発光領域と第２の基板の白色発光領域が重なっていることを示す。
【０１３６】
１２０６は、第１の基板の赤色発光領域１２００のみを点灯状態とした場合には赤色発
光領域となり、第２の基板の白色発光領域１２０３のみを点灯状態とした場合には白色発
光領域となる。１２０７は、第１の基板の緑色発光領域１２０１のみを点灯状態とした場
合には緑色発光領域となり、第２の基板の白色発光領域１２０４のみを点灯状態とした場
合には白色発光領域となる。１２０８は、第１の基板の青色発光領域１２０２のみを点灯
状態とした場合には青色発光領域となり、第２の基板の白色発光領域１２０５のみを点灯
状態とした場合には白色発光領域となる。
【０１３７】
図１９に、図１８（Ａ）のＡ−Ａ’における断面図を示す。
図１９は、本発明の表示装置の断面構造についてわかりやすく示すための断面概略図で
あり、第１の基板、第１の基板上に形成された赤色、緑色、青色の有機発光素子、第２の
基板、第２の基板上に形成された白色の有機発光素子のみを示してある。
【０１３８】
図１９において、第１の基板１３００上には、赤色（Ｒ）の有機発光素子１３１１、緑
色（Ｇ）の有機発光素子１３１２、青色（Ｂ）の有機発光素子１３１３が形成されており
、第２の基板１３０１上には、白色の有機発光素子１３２３、１３２４、１３２５が形成
されている。そして、図１９に示すように、第１の基板上に形成されている赤色の有機発
光素子１３１１と第２の基板上に形成されている白色の有機発光素子１３２３とが対向し
、第１の基板上に形成されている緑色の有機発光素子１３１２と第２の基板上に形成され
ている白色の有機発光素子１３２４とが対向し、第１の基板上に形成されている青色の有
機発光素子１３１３と第２の基板上に形成されている白色の有機発光素子１３２５とが対
向するように、第１の基板１３００と第２の基板１３０１が重ね合わせて設けられている
。
【０１３９】
このような構成とすることにより、第１の基板１３００に対しては第２の基板１３０１
が対向基板の機能を果たし、第２の基板１３０１に対しては第１の基板１３００が対向基
板の機能を果たすため、第１の基板１３００と第２の基板１３０１の２枚の基板のみで封
止を行うことができる。従って、一方の基板にのみ有機発光素子が形成され、対向基板に
よって封止している通常の表示装置とほとんど厚みが変わらない状態とすることができる
。
【０１４０】
第１の基板１３００上に形成された有機発光素子１３１１、１３１２、１３１３は、第
１の基板１３００の有機発光素子１３１１、１３１２、１３１３が設けられている面の方
向、及び第１の基板１３００の有機発光素子１３１１、１３１２、１３１３が設けられて
いる面とは反対側の面の方向に発光する両面出射型（デュアルエミッション型）の構造と
なっている。また、第２の基板１３０１上に形成されている白色の有機発光素子１３２３
、１３２４、１３２５は、第２の基板１３０１の白色の有機発光素子１３２３、１３２４
、１３２５が設けられている面の方向に発光する上方出射型（トップエミッション型）の
構造となっている。
なお、図１９において、白抜きの矢印がそれぞれの有機発光素子からの発光の方向を示
している。
【０１４１】
このような構成にすることにより、白色の有機発光素子１３２３、１３２４、１３２５
、及び赤色、緑色、青色の有機発光素子１３１１、１３１２、１３１３からの発光を、第
１の基板１３００の有機発光素子１３１１、１３１２、１３１３が形成されている面とは
反対の面側の方向に取り出すことができる。つまり、第１の基板１３００の有機発光素子
１３１１、１３１２、１３１３が形成されている面とは反対の面に表示画面を形成するこ
とができる。
【０１４２】
赤色の有機発光素子１３１１は、第１の電極１３０２、第２の電極１３０４、第１の電
極１３０２と第２の電極１３０４に挟まれた有機化合物を含む層１３０３によって構成さ
れている。緑色の有機発光素子１３１２は、第１の電極１３０５、第２の電極１３０７、
第１の電極１３０５と第２の電極１３０７に挟まれた有機化合物を含む層１３０６によっ
て構成されている。青色の有機発光素子１３１３は、第１の電極１３０８、第２の電極１
３１０、第１の電極１３０８と第２の電極１３１０に挟まれた有機化合物を含む層１３０
９によって構成されている。
【０１４３】
そして、赤色の有機発光素子１３１１の第１の電極１３０２、第２の電極１３０４、緑
色の有機発光素子１３１２の第１の電極１３０５、第２の電極１３０７、青色の有機発光
素子１３１３の第１の電極１３０８、第２の電極１３１０は、それぞれインジウム錫酸化
物（ＩＴＯ：Ｉｎｄｉｕｍ  Ｔｉｎ  Ｏｘｉｄｅ）や酸化インジウムに酸化亜鉛を含有し
たＩＺＯ（Ｉｎｄｉｕｍ  Ｚｉｎｃ  Ｏｘｉｄｅ）などの透明導電膜を用いて形成する。
透明導電膜として用いられる材料はこれらの材料のみに限定されるものではなく、これ
以外にも金属の薄膜などを用いることもできる。
【０１４４】
なお、赤色の有機発光素子１３１１の第１の電極１３０２、緑色の有機発光素子１３１
２の第１の電極１３０５、青色の有機発光素子１３１３の第１の電極１３０８は同じ透明
導電膜をパターニングすることによって形成されている。また、赤色の有機発光素子１３
１１の第２の電極１３０４、緑色の有機発光素子１３１２の第２の電極１３０７、青色の
有機発光素子１３１３の第２の電極１３１０は同じ透明導電膜をパターニングすることに
よって形成されている。
【０１４５】
このように各有機発光素子の第１及び第２の電極を透明導電膜で形成することによって
、両面出射型の有機発光素子とすることができる。
【０１４６】
また、白色の有機発光素子１３２３は、第１の電極１３１４、第２の電極１３１６、第
１の電極１３１４と第２の電極１３１６に挟まれた有機化合物を含む層１３１５によって
構成されている。白色の有機発光素子１３２４は、第１の電極１３１７、第２の電極１３
１９、第１の電極１３１７と第２の電極１３１９に挟まれた有機化合物を含む層１３１８
によって構成されている。白色の有機発光素子１３２５は、第１の電極１３２０、第２の
電極１３２２、第１の電極１３２０と第２の電極１３２２に挟まれた有機化合物を含む層
１３２１によって構成されている。
【０１４７】
白色の有機発光素子１３２３の第１の電極１３１４、白色の有機発光素子１３２４の第
１の電極１３１７、白色の有機発光素子１３２５の第１の電極１３２０としては、反射機
能を有する電極を用いるのが好ましい。白色の有機発光素子１３２３、１３２４、１３２
５の第１の電極１３１４、１３１７、１３２０が反射機能を有することにより、赤色の有
機発光素子１３１１、緑色の有機発光素子１３１２、青色の有機発光素子１３１３から第
２の基板１３０１側の方向に発光した光を白色の有機発光素子１３２３、１３２４、１３
２５の第１の電極１３１４、１３１７、１３２０によって反射することができるため、赤
色の有機発光素子１３１１、緑色の有機発光素子１３１２、青色の有機発光素子１３１３
の発光を効率的に用いることができる。
【０１４８】
本実施の形態に示す構成は、赤色、緑色、青色のそれぞれに対して重ね合わせる白色の
発光輝度を個別に調整することができる。
つまり、各画素において、赤色、緑色、青色の明るさをそれぞれ個別に調整することが
できる。
よって、例えば、観察者側からみて、赤色の発光領域に重なる位置に形成されている白色
の発光領域の発光輝度を高くすれば、つまり、赤色の有機発光素子に対向して設けられた
白色の有機発光素子の輝度のみを高くするようにすれば、赤色のみを明るくして、ピンク
色の表示にすることができる。
【０１４９】
なお、第１の基板上に設けられた赤色の有機発光素子のドットに対向するように第２の
基板上に白色の有機発光素子のドットを設け、第１の基板上に設けられた緑色の有機発光
素子のドットに対向するように第２の基板上に白色の有機発光素子のドットを設け、第１
の基板上に設けられた青色の有機発光素子のドットに対向するように第２の基板上に白色
の有機発光素子のドットを設けた場合においても、赤色、緑色、青色にそれぞれ対向して
設けられた白色の有機発光素子を全て同じ発光輝度にするようにすれば、実施の形態１の
場合と同様に、表示画面全体の明るさを調整することができる。
【０１５０】
また、本実施の形態の表示装置は、赤色のドット、緑色のドット、及び青色のドットの
それぞれのドットに対して白色のドットが重なるように配置しているため、赤色、緑色、
青色の有機発光素子を消灯状態とし、白色の有機発光素子のみを点灯状態とすることによ
って白色のみでも表示を行うことができる。
【０１５１】
本実施の形態の表示装置において、白色のみの表示を行う場合には、白色のドット１つ
が１画素を構成することとなる。よって、赤色のドット、緑色のドット、及び青色のドッ
トのそれぞれのドットに対して白色のドットが重なるように設けられているため、白色の
みで表示を行う場合は、カラー表示を行う場合と比較して画素数が３倍となり、高精細な
画像を表示することができる。
【０１５２】
また、白色のみの表示を行う場合には、実施の形態１と比較して３倍の画素数となり、
高精細な画像を表示することができるため、実施の形態１よりも本実施の形態の構成のほ
うがより好ましい構成である。
【０１５３】
通常の赤、緑、青のドットを１画素としてカラー表示を行う表示装置において、白色の
表示を行う場合には、赤色、緑色、及び青色のドットを点灯させることによって白色の表
示を行う。これに対して、本実施の形態の構成の場合、赤色、緑色、青色の有機発光素子
が形成されている基板とは異なる基板に白色の有機発光素子が形成されているため、白色
の有機発光素子のみを点灯状態として１画素の表示を行うことができるため、赤色、緑色
、青色のドットを点灯させることによって白色表示を行う場合に比較して、消費電力を低
下させることができる。
【０１５４】
また、白色の有機発光素子が、赤色、緑色、青色の有機発光素子と同じ基板上に形成さ
れている場合には、ひとつの基板上に形成するドット数が増加してしまうため、その分画
素数が減少してしまう。しかし、本実施の形態の構成においては、白色の有機発光素子は
、赤色、緑色、青色の有機発光素子が形成されている基板とは異なる基板に形成されてい
るため、画素数を減少させずに、カラー表示と、白色のみの表示の双方を行え、且つ白色
表示のみを行う場合には、消費電力を低下させることができる。
【０１５５】
なお、本実施の形態においては、第１の基板に赤色、緑色、青色の有機発光素子を設け
、第２の基板に白色の有機発光素子を設け、第１の基板に表示画面を形成する場合につい
てのみ説明したが、これに限定されない。
【０１５６】
第１の基板に設ける有機発光素子と第２の基板に設ける有機発光素子を入れ替える構成
としてもよい。つまり、第１の基板に白色の発光素子を設け、第２の基板に赤色、緑色、
青色の有機発光素子を設ける構成としても良い。
【０１５７】
また、第１の基板と第２の基板の両方の基板に表示画面を形成する構成としてもよい。
この場合には、第１の基板に設ける有機発光素子と第２の基板に設ける有機発光素子を両
面出射型の有機発光素子とすればよい。すなわち、第１の基板に設ける有機発光素子及び
第２の基板に設ける有機発光素子の第１の電極及び第２の電極を透明導電膜で形成すれば
よい。
【０１５８】
（実施の形態３）
本実施の形態においては、本発明の第１の構成において、第１の基板に赤色の有機発光
素子と緑色の有機発光素子を設け、第２の基板に青色の有機発光素子と白色の有機発光素
子を設けた場合について説明する。
【０１５９】
図２７に、本実施の形態の表示装置の画素構成を示す。図２７（Ａ）は、表示画面側、
つまり観察者側からみた場合の画素構成であり、図２７（Ｂ）は、第１の基板における画
素構成、図２７（Ｃ）は、第２の基板における画素構成を示す。図２７（Ｂ）、（Ｃ）は
、共に有機発光素子が形成されている面側からみた上面図である。
図２７（Ｂ）に示す画素構成を有する第１の基板と図２７（Ｃ）に示す画素構成を有す
る第２の基板を、互いに有機発光素子が形成されている面が対向するように重ね合わせる
ことによって、表示画面側、つまり観察者側から見ると、図２７（Ａ）に示すような画素
構成となる。
なお、図２７においては、発光領域の重なり方をわかりやすくするため、配線などは記
載していない。
【０１６０】
図２７（Ｂ）において、３０００は緑色の有機発光素子によって形成された緑色発光領
域、３００１は、赤色の有機発光素子によって形成された赤色発光領域である。
図２７（Ｃ）において、３００２は青色の有機発光素子によって形成された青色発光領
域、３００３は白色の有機発光素子によって形成された白色発光領域である。
【０１６１】
図２７において、右斜めの斜線部分は、第１の基板において配線や、有機発光素子を駆
動するための素子などが形成されているため、遮光されている領域を示す。また、左斜め
の斜線部分は、第２の基板において配線や、有機発光素子を駆動するための素子などが形
成されているため、遮光されている領域を示す。
本実施の形態の場合は、第１の基板に形成されている発光領域と第２の基板に形成され
ている発光領域はほぼ同じ大きさであり、同じ位置で重なるように形成されている。よっ
て、第１の基板の遮光領域と第２の基板の遮光領域もほぼ同じ位置に形成されている。
【０１６２】
第１の基板の緑色発光領域３０００、赤色発光領域３００１、第２の基板の青色発光領
域３００２、白色発光領域３００３を全て発光させた場合、観察者側から見ると、発光領
域３００４、３００５の２つの異なる色の発光領域が形成されているように見える。
この場合、３００４には青色と緑色の混色の発光領域が形成される。３００５には白色
の発光によって明るくなった赤色の発光領域が形成される。
【０１６３】
なお、図２７（Ａ）において、３００４、３００５は、第１の基板の発光領域と第２の
基板の発光領域が同じ位置で重なっているため、第２の基板の発光領域の色については括
弧書きで示している。
つまり、３００４に「Ｇ」、「（Ｂ）」と記載されているのは、第１の基板の緑色の発
光領域と第２の基板の青色の発光領域が重なっていることを示し、３００５に「Ｒ」、「
（Ｗ）」と記載されているのは、第１の基板の赤色の発光領域と第２の基板の白色の発光
領域が重なっていることを示す。
【０１６４】
よって、３００４は、第１の基板の緑色発光領域３０００のみを点灯状態とした場合に
は緑色発光領域となり、第２の基板の青色発光領域３００２のみを点灯状態とした場合に
は青色発光領域となる。３００５は、第１の基板の赤色発光領域３００１のみを点灯状態
とした場合には赤色発光領域となり、第２の基板の白色発光領域３００３のみを点灯状態
とした場合には白色発光領域となる。
【０１６５】
図２８に図２７に示す画素構成の断面図を示す。図２８（Ａ）は、図２７（Ａ）のＡ−
Ａ’における断面図、図２８（Ｂ）は、図２７（Ａ）のＢ−Ｂ’における断面図である。
図２８は、本発明の表示装置において、第１の基板に設けられている有機発光素子と第２
の基板に設けられている有機発光素子の位置関係についてわかりやすく示すための断面図
である。よって、第１の基板、第１の基板上に形成された緑色、赤色の有機発光素子、第
２の基板、第２の基板上に形成された青色、白色の有機発光素子のみを示してある。
【０１６６】
図２８（Ａ）において、第１の基板４００上には、緑色（Ｇ）の有機発光素子４０８、
赤色（Ｒ）の有機発光素子４０９が形成されており、第２の基板４０１上には、青色の有
機発光素子４１６、白色の有機発光素子４１７が形成されている。そして、図２８（Ａ）
に示すように、第１の基板４００上に形成されている緑色の有機発光素子４０８が第２の
基板上に形成されている青色の有機発光素子４１６のと対向し、第１の基板上に形成され
た赤色の有機発光素子４０９が第２の基板上に形成されている白色の有機発光素子４１７
と対向するように、第１の基板４００と第２の基板４０１とは重ね合わせて設けられてい
る。
【０１６７】
このような構成とすることにより、第１の基板４００に対しては第２の基板４０１が対
向基板の機能を果たし、第２の基板４０１に対しては第１の基板４００が対向基板の機能
を果たすため、第１の基板４００と第２の基板４０１の２枚の基板のみで封止を行うこと
ができる。従って、一方の基板にのみ有機発光素子が形成され、対向基板によって封止し
ている通常の表示装置とほとんど厚みが変わらない状態とすることができる。
【０１６８】
第１の基板４００上に形成された有機発光素子４０８、４０９は、第１の基板４００の
有機発光素子４０８、４０９が設けられている面の方向、及び第１の基板４００の有機発
光素子４０８、４０９が設けられている面とは反対側の面の方向、つまり第２の基板４０
１の方向に発光する両面出射型（デュアルエミッション型）の構造となっている。また、
第２の基板４０１上に形成されている有機発光素子４１６、４１７は、第２の基板３１０
１の有機発光素子４１６、４１７が設けられている面の方向、つまり第１の基板の方向に
発光する上方出射型（トップエミッション型）の構造となっている。
なお、図２８において、白抜きの矢印がそれぞれの有機発光素子からの発光の方向を示
している。
【０１６９】
緑色の有機発光素子４０８は、第１の電極４０２、第２の電極４０４、第１の電極４０
２と第２の電極４０２に挟まれた有機化合物を含む層４０３によって構成されている。赤
色の有機発光素子４０９は、第１の電極４０５、第２の電極４０７、第１の電極４０５と
第２の電極４０７に挟まれた有機化合物を含む層４０６によって構成されている。青色の
有機発光素子４１６は、第１の電極４１０、第２の電極４１２、第１の電極４１０と第２
の電極４１２に挟まれた有機化合物を含む層４１１によって構成されている。
白色の有機発光素子４１７は、第１の電極４１３、第２の電極４１５、第１の電極４１３
と第２の電極４１５に挟まれた有機化合物を含む層４１４によって構成されている。
【０１７０】
そして、緑色の有機発光素子４０８の第１の電極４０２、第２の電極４０４、赤色の有
機発光素子４０９の第１の電極４０５、第２の電極４０７、青色の有機発光素子４１６の
第２の電極４１２、白色の有機発光素子４１７の第２の電極４１５は、それぞれインジウ
ム錫酸化物（ＩＴＯ：Ｉｎｄｉｕｍ  Ｔｉｎ  Ｏｘｉｄｅ）や酸化インジウムに酸化亜鉛
を含有したＩＺＯ（Ｉｎｄｉｕｍ  Ｚｉｎｃ  Ｏｘｉｄｅ）などの透明導電膜を用いる。
なお、緑色の有機発光素子４０８の第１の電極４０２、赤色の有機発光素子４０９の第
１の電極４０５は同じ透明導電膜をパターニングすることによって形成されている。また
、緑色の有機発光素子４０８の第２の電極４０４、赤色の有機発光素子４０９の第２の電
極４０７は同じ透明導電膜をパターニングすることによって形成されている。さらに、青
色の有機発光素子４１６の第２の電極４１２、白色の有機発光素子４１７の第２の電極４
１５は同じ透明導電膜をパターニングすることによって形成されている。
【０１７１】
このように第１の基板４００に設けられている各有機発光素子の第１及び第２の電極を
透明導電膜で形成することによって、両面出射型の有機発光素子とすることができる。
【０１７２】
青色の有機発光素子４１６の第１の電極４１０、白色の有機発光素子４１７の第１の電
極４１３としては、反射機能を有する電極を用いるのが好ましい。第１の電極が反射機能
を有することにより、緑色の有機発光素子４０８、赤色の有機発光素子４０９から第２の
基板４０１側の方向に発光した光を青色の有機発光素子４１６及び白色の有機発光素子４
１７の第１の電極によって反射することができるため、緑色の有機発光素子４０８、赤色
の有機発光素子４０９からの発光を効率的に用いることができる。
【０１７３】
なお、図２７、２８においては、有機発光素子の発光領域の面積が全て同じ場合につい
て説明したが、有機発光素子の発光領域の面積を色によって異ならせる構成としてもよい
。
【０１７４】
図６に、有機発光素子の発光領域の面積を色によって異ならせた場合の表示装置の画
素構成を示す。図６（Ａ）は、表示画面側、つまり観察者側からみた場合の画素構成であ
り、図６（Ｂ）は、第１の基板における画素構成、図６（Ｃ）は、第２の基板における画
素構成を示す。
図６（Ｂ）に示す画素構成を有する第１の基板と図６（Ｃ）に示す画素構成を有する第
２の基板を、互いに有機発光素子が形成されている面が対向するように重ね合わせること
によって、表示画面側、つまり観察者側から見ると、図６（Ａ）に示すような画素構成と
なる。図６（Ｂ）、（Ｃ）は、共に有機発光素子が形成されている面側からみた上面図で
ある。
【０１７５】
図６（Ｂ）において、３００は緑色の有機発光素子によって形成された緑色発光領域、
３０１は、赤色の有機発光素子によって形成された赤色発光領域である。
図６（Ｃ）において、３０２は青色の有機発光素子によって形成された青色発光領域、
３０３は白色の有機発光素子によって形成された白色発光領域である。
なお、図６においては、発光領域の重なり方をわかりやすくするため、配線などは記載し
ていない。
【０１７６】
図６に示す構成と図２７に示す構成との違いは、赤色の有機発光素子と青色の有機発光素子の発光領域の面積を緑色の有機発光素子と白色の有機発光素子の発光領域の面積よりも大きく形成している点である。図６に示す例においては、赤色の有機発光素子と青色の有機発光素子の発光領域の面積を緑色の有機発光素子と白色の有機発光素子の発光領域の面積よりも大きく形成したことによって、赤色の有機発光素子の発光領域３０１の一部と青色の有機発光素子の発光領域３０２の一部が観察者側から見て重なっている。
【０１７７】
図６において、右斜めの斜線部分は、第１の基板において配線や、有機発光素子を駆動
するための素子などが形成されているため、遮光されている領域を示す。また、左斜めの
斜線部分は、第２の基板において配線や、有機発光素子を駆動するための素子などが形成
されているため、遮光されている領域を示す。よって、第１の基板と第２の基板を重ね合
わせて、第１の基板側（観察者側）から見た場合、第１の基板の緑色発光領域３００、赤
色発光領域３０１以外の領域においては、第２の基板に形成されている有機発光素子から
の発光は遮光される。よって、観察者側から見た場合、第２の基板の青色発光領域３０２
の一部は、第１の基板の遮光領域によって遮光されてしまう。
【０１７８】
第１の基板の緑色発光領域３００、赤色発光領域３０１、第２の基板の青色発光領域３
０２、白色発光領域３０３を全て発光させた場合、観察者側から見ると、発光領域３０４
、３０５、３０６、３０７の４つの異なる色の発光領域が形成されているように見える。
この場合、３０４には青色と緑色の混色の発光領域が形成される。３０５には赤色と青
色の混色の発光領域が形成される。３０６には、赤色の発光領域が形成される。３０７に
は赤色と白色の混色の発光領域が形成される。
【０１７９】
なお、図６（Ａ）の３０４、３０５、３０６、３０７において、第２の基板の発光領域
の色については括弧書きで示している。
つまり、３０４に「Ｇ」、「（Ｂ）」と記載されているのは、第１の基板の緑色の発光
領域と第２の基板の青色の発光領域が重なっていることを示し、３０５に「Ｒ」、「（Ｂ
）」と記載されているのは、第１の基板の赤色の発光領域と第２の基板の青色の発光領域
が重なっていることを示し、３０６に「Ｒ」と記載されているのは、第１の基板の発光領
域のみによって形成された領域であることを示し、３０７に「Ｒ」、「（Ｗ）」と記載さ
れているのは、第１の基板の赤色発光領域と第２の基板の白色発光領域が重なっているこ
とを示す。
【０１８０】
よって、第１の基板の緑色発光領域３００のみを点灯状態とした場合には、３０４は緑
色発光領域となり、第１の基板の赤色発光領域３０１のみを点灯状態とした場合には、３
０５、３０６、３０７が赤色発光領域となる。第２の基板の青色発光領域３０２のみを点
灯状態とした場合には３０４、３０５が青色発光領域となり、第２の基板の白色発光領域
３０３のみを点灯状態とした場合には、３０７が白色発光領域となる。
【０１８１】
図７、図８に図６に示す画素構成の断面図を示す。図７（Ａ）は、図６（Ａ）のＡ−Ａ
’における断面図、図７（Ｂ）は、図６（Ａ）のＢ−Ｂ’における断面図、図８（Ａ）は
、図６（Ａ）のＣ−Ｃ’における断面図、図８（Ｂ）は、図６（Ａ）のＤ−Ｄ’における
断面図である。図７、図８は、本発明の表示装置の断面構造についてわかりやすく示すた
めの断面概略図であり、第１の基板、第１の基板上に形成された緑色、赤色の有機発光素
子、第２の基板、第２の基板上に形成された青色、白色の有機発光素子のみを示してある
。図７、８において、図２８と共通する構成には図２８と同じ符号を付してある。
【０１８２】
図７（Ａ）において、第１の基板４００上には、緑色（Ｇ）の有機発光素子４０８、赤
色（Ｒ）の有機発光素子４０９が形成されており、第２の基板４０１上には、青色の有機
発光素子４１６、白色の有機発光素子４１７が形成されている。そして、図７（Ａ）に示
すように、第１の基板４００上に形成されている緑色の有機発光素子４０８が第２の基板
上に形成されている青色の有機発光素子４１６の一部と対向し、第１の基板上に形成され
た赤色の有機発光素子４０９が第２の基板上に形成されている青色の有機発光素子４１６
の一部、及び第２の基板上に形成されている白色の有機発光素子４１７と対向するように
、第１の基板４００と第２の基板４０１とは重ね合わせて設けられている。
なお、図７において、白抜きの矢印がそれぞれの有機発光素子からの発光の方向を示し
ている。
【０１８３】
赤色、青色は緑色と比較して視感度が低いため、赤色の有機発光素子と青色の有機発光
素子の発光領域の面積を緑色の有機発光素子の発光領域の面積よりも大きくすることによ
り、赤色、緑色、青色のバランスをとることができると共に、白色の有機発光素子が設け
られていることにより、表示画面の明るさの調整を行うことができる。
また、第１の基板及び第２の基板に設けられる有機発光素子の色がそれぞれ２色である
ため、基板上に設ける画素数は同じにして基板上に３色の有機発光素子を設ける場合と比
較して、各ドットに設けられた有機発光素子を駆動するための素子の数を減らすことがで
きるため、開口率を向上させることができる。
【０１８４】
また、図６（Ａ）のＢ−Ｂ’、Ｃ−Ｃ’、Ｄ−Ｄ’における断面構造について以下に説
明する。
図７（Ｂ）を見ると、図６（Ａ）のＢ−Ｂ’において、第１の基板４００上に形成され
ている緑色の有機発光素子４０８と第２の基板に形成されている青色の有機発光素子４１
６とが対向するように設けられていることがわかる。
【０１８５】
図８（Ａ）を見ると、図６（Ａ）のＣ−Ｃ’において、第１の基板４００上に形成され
ている赤色の有機発光素子４０９と第２の基板に形成されている青色の有機発光素子４１
６とが対向するように設けられていることがわかる。
【０１８６】
図８（Ｂ）を見ると、図６（Ａ）のＤ−Ｄ’において、第１の基板４００上に形成され
ている赤色の有機発光素子４０９と第２の基板に形成されている白色の有機発光素子４１
７とが対向するように設けられていることがわかる。
【０１８７】
なお、本実施例では、第１の基板に赤色の有機発光素子と緑色の有機発光素子を設け、
第２の基板に青色の有機発光素子と白色の有機発光素子を設けた場合について説明したが
、この構成に限定されるものではない。
赤色、緑色、青色のバランスをとることができればよいので、緑色と比較して視感度が
低い赤色の有機発光素子と青色の有機発光素子の発光領域の面積を緑色の有機発光素子の
発光領域の面積よりも大きくすることができれば良い。よって、緑色と同じ基板上に設け
られる有機発光素子は、赤色または青色の有機発光素子のいずれであってもよい。従って
、緑色の有機発光素子と白色の有機発光素子を入れ替えてもよい。つまり、第１の基板に
赤色の有機発光素子と白色の有機発光素子を設け、第２の基板に青色の有機発光素子と、
緑色の有機発光素子を設けるようにしてもよい。
【０１８８】
また、図６〜８においては、第１の基板４００上に形成されている緑色の有機発光素子
４０８が第２の基板上に形成されている青色の有機発光素子４１６の一部と対向し、第１
の基板上に形成された赤色の有機発光素子４０９が第２の基板上に形成されている青色の
有機発光素子４１６の一部、及び第２の基板上に形成されている白色の有機発光素子４１
７と対向するように各有機発光素子を配置しているが、この配置に限定されない。
例えば、緑色の有機発光素子と白色の有機発光素子が対向し、赤色の有機発光素子と青
色の有機発光素子が対向するような配置としても良い。
また、例えば、第２の基板に設ける有機発光素子を±９０度回転させた方向で形成する
ことも可能である。
【０１８９】
この第２の基板に設ける有機発光素子を＋９０度回転させた場合の例について図９〜１
１を用いて説明する。
図９に、第２の基板に設ける有機発光素子を＋９０度回転させた場合の画素構成を示す
。
図９（Ａ）は、表示画面側、つまり観察者側からみた場合の画素構成であり、図９（Ｂ）
は、第１の基板における画素構成、図９（Ｃ）は、第２の基板における画素構成を示す。
図９（Ｂ）に示す画素構成を有する第１の基板と図９（Ｃ）に示す画素構成を有する第
２の基板を、互いに有機発光素子が形成されている面が対向するように重ね合わせること
によって、表示画面側、つまり観察者側から見ると、図９（Ａ）に示すような画素構成と
なる。図９（Ｂ）、（Ｃ）は、共に有機発光素子が形成されている面側からみた上面図で
ある。
【０１９０】
図９（Ｂ）において、５００は緑色の有機発光素子によって形成された緑色発光領域、
５０１は赤色の有機発光素子によって形成された赤色発光領域である。
【０１９１】
図９（Ｃ）において、５０２は青色の有機発光素子によって形成された青色発領域であ
り、５０３は白色の有機発光素子によって形成された白色発光領域である。
なお、図９においては、発光領域の重なり方をわかりやすくするため、配線などは記載
していない。
【０１９２】
図９において、右斜めの斜線部分は、第１の基板において配線や、有機発光素子を駆動
するための素子などが形成されているため、遮光されている領域を示す。また、左斜めの
斜線部分は、第２の基板において配線や、有機発光素子を駆動するための素子などが形成
されているため、遮光されている領域を示す。よって、第１の基板と第２の基板を重ね合
わせて、第１の基板側（観察者側）から見た場合、第１の基板の緑色発光領域５００、赤
色発光領域５０１以外の領域においては、第２の基板に形成されている有機発光素子から
の発光は遮光される。よって、観察者側から見た場合、第２の基板の青色発光領域５０２
の一部と白色発光領域５０３の一部は、第１の基板の遮光領域によって遮光されてしまう
。
【０１９３】
第１の基板の緑色発光領域５００、赤色発光領域５０１、第２の基板の青色発光領域５
０２、白色発光領域５０３を全て発光させた場合、観察者側から見ると、発光領域５０４
、５０５、５０６、５０７、５０８、５０９の６つの異なる色の発光領域が形成されてい
るように見える。
この場合、５０４には緑色と青色の混色の発光領域が形成される。５０５には緑色の発
光領域が形成される。５０６には緑色と白色の混色の発光領域が形成される。５０７には
赤色と青色の混色の発光領域が形成される。５０８には赤色の発光領域が形成される。５
０９には赤色と白色の混色の発光領域が形成される。
【０１９４】
なお、図９（Ａ）の５０４、５０６、５０７、５０９において、第２の基板の発光領域
の色については括弧書きで示している。
つまり、５０４に「Ｇ」、「（Ｂ）」と記載されているのは、第１の基板の緑色の発光
領域と第２の基板の青色の発光領域が重なっていることを示し、５０５に「Ｇ」と記載さ
れているのは、第１の基板の緑色発光領域のみによって形成された領域であることを示し
、５０６に「Ｇ」、「（Ｗ）」と記載されているのは、第１の基板の緑色の発光領域と第
２の基板の白色の発光領域が重なっていることを示し、５０７に「Ｒ」、「（Ｂ）」と記
載されているのは、第１の基板の赤色発光領域と第２の基板の青色発光領域が重なってい
ることを示し、５０８に「Ｒ」と記載されているのは、第１の基板の赤色発光領域のみに
よって形成された領域であることを示し、３０９に「Ｒ」、「（Ｗ）」と記載されている
のは、第１の基板の赤色発光領域と第２の基板の白色発光領域が重なっていることを示す
。
【０１９５】
よって、第１の基板の緑色発光領域５００のみを点灯状態とした場合には、５０４、５
０５、５０６は緑色発光領域となり、第１の基板の赤色発光領域５０１のみを点灯状態と
した場合には、５０７、５０８、５０９が赤色発光領域となる。第２の基板の青色発光領
域５０２のみを点灯状態とした場合には５０４、５０７が青色発光領域となり、第１の基
板の白色発光領域５０３のみを点灯状態とした場合には、５０６、５０９が白色発光領域
となる。
【０１９６】
図１０に図９に示す画素構成の断面図を示す。図１０（Ａ）は、図９（Ａ）のＡ−Ａ’
における断面図、図１０（Ｂ）は、図９（Ａ）のＢ−Ｂ’における断面図、図１１（Ａ）
は、図９（Ａ）のＣ−Ｃ’における断面図、図１１（Ｂ）は、図９（Ａ）のＤ−Ｄ’にお
ける断面図である。図１０、図１１は、本発明の表示装置において、第１の基板に設けら
れている有機発光素子と第２の基板に設けられている有機発光素子の位置関係についてわ
かりやすく示すための断面図である。よって、第１の基板、第１の基板上に形成された有
機発光素子、第２の基板、第２の基板上に形成された有機発光素子のみを示してある。
【０１９７】
図１０（Ａ）において、第１の基板６００上には、緑色（Ｇ）の有機発光素子６０８、
赤色（Ｒ）の有機発光素子６０９が形成されており、第２の基板６０１上には、青色の有
機発光素子６１３が形成されている。そして、図１０（Ａ）に示すように、第２の基板６
０１上に形成されている青色の有機発光素子６１３が第１の基板上に形成されている緑色
の有機発光素子４０８、赤色の有機発光素子４０９と対向するように、第１の基板６００
と第２の基板６０１とは重ね合わせて設けられている。
【０１９８】
第１の基板６００上に形成された有機発光素子６０８、６０９は、第１の基板６００の
有機発光素子６０８、６０９が設けられている面の方向、及び第１の基板６００の有機発
光素子６０８、６０９が設けられている面とは反対側の面の方向、つまり第２の基板６０
１の方向に発光する両面出射型（デュアルエミッション型）の構造となっている。また、
第２の基板６０１上に形成されている有機発光素子６１３は、第２の基板６０１の有機発
光素子６１３が設けられている面の方向、つまり第１の基板の方向に発光する上方出射型
（トップエミッション型）の構造となっている。
なお、図１０、図１１において、白抜きの矢印がそれぞれの有機発光素子からの発光の
方向を示している。
【０１９９】
緑色の有機発光素子６０８は、第１の電極６０２、第２の電極６０４、第１の電極６０
２と第２の電極６０２に挟まれた有機化合物を含む層６０３によって構成されている。赤
色の有機発光素子６０９は、第１の電極６０５、第２の電極６０７、第１の電極６０５と
第２の電極６０７に挟まれた有機化合物を含む層６０６によって構成されている。青色の
有機発光素子６１６は、第１の電極６１０、第２の電極６１２、第１の電極６１０と第２
の電極６１２に挟まれた有機化合物を含む層６１１によって構成されている。
白色の有機発光素子６１７は、第１の電極６１３、第２の電極６１５、第１の電極６１３
と第２の電極６１５に挟まれた有機化合物を含む層６１４によって構成されている。
【０２００】
なお、各有機発光素子の第１の電極、第２の電極、有機化合物を含む層を構成する材料
については、図６〜８、２７、２８に示す画素構成において説明した材料と同じ材料を用
いればよい。
【０２０１】
また、図９に示す構成に限定されるものではなく、図９（Ｃ）の青色発光領域５０２と
白色発光領域５０３の位置を入れ替えた構成とすることなども可能である。
【０２０２】
図９〜１１に示した画素構成例は、図６〜８に示した画素構成例と第１の基板に形成さ
れている有機発光素子による発光領域と第２の基板上に形成されている有機発光素子によ
る発光領域の重なり方が異なるため、混色の仕方、つまり表示される色合いが異なる。
【０２０３】
第１の基板に形成されている有機発光素子による発光領域と第２の基板に形成されてい
る有機発光素子による発光領域の配置を変化させることによって、第１の基板に形成され
ている有機発光素子による発光領域と第２の基板に形成されている有機発光素子による発
光領域との色の重なり方が変化するため、表示する画像の色合いを変化させることができ
る。
よって、それぞれの画像に求められる画質に応じて第１の基板に形成されている有機発
光素子による発光領域と第２の基板に形成されている有機発光素子による発光領域の配置
を変化させれば、それぞれの画像にあった色合いにすることができる。
【０２０４】
（実施の形態４）
本実施の形態においては、本発明の第２の構成の一例について説明する。すなわち、赤
色（Ｒ）、緑色（Ｇ）、青色（Ｂ）の有機発光素子が形成された第１の基板と、赤色（Ｒ
）の補色であるシアン（Ｃ）、緑色（Ｇ）の補色であるマゼンダ（Ｍ）、青色（Ｂ）の補
色であるイエロー（Ｙ）の有機発光素子が形成された第２の基板とを貼り合わせ、第１の
基板に表示画面を形成した表示装置について説明する。
【０２０５】
本実施の形態の表示装置は、実施の形態１の白色の有機発光素子の代わりに第２の基板
に赤色の補色であるシアン、緑色の補色であるマゼンダ、青色の補色であるイエローの有
機発光素子を形成したものである。
【０２０６】
図１２は、本実施例の表示装置の画素構成の一例を示す図である。
図１２（Ａ）は、第１の基板にのみ表示画面を形成する場合において、表示画面側から
（観察者側から）見た場合の画素構成、図１２（Ｂ）は第１の基板における画素構成、図
１２（Ｃ）は第２の基板における画素構成を示す。
図１２（Ｂ）に示す画素構成を有する第１の基板と図１２（Ｃ）に示す画素構成を有す
る第２の基板を、互いに有機発光素子が形成されている面が対向するように重ね合わせる
ことによって、表示画面側、つまり観察者側から見ると、図１２（Ａ）に示すような画素
構成となる。図１２（Ｂ）、（Ｃ）は、共に有機発光素子が形成されている面側からみた
上面図である。
【０２０７】
図１２（Ｂ）において、７００は赤色（Ｒ）の有機発光素子によって形成された赤色発
光領域、７０１は緑色（Ｇ）の有機発光素子によって形成された緑色発光領域、７０２は
青色（Ｂ）の有機発光素子によって形成された青色発光領域を示す。
【０２０８】
図１２（Ｃ）において、７０３はイエロー（Ｙ）の有機発光素子によって形成されたイ
エロー発光領域、７０４はマゼンダ（Ｍ）の有機発光素子によって形成されたマゼンダ発
光領域、７０５はシアン（Ｃ）の有機発光素子によって形成されたシアン発光領域である
。
なお、図１２においては、発光領域の重なり方をわかりやすくするため、配線などは記
載していない。
【０２０９】
図１２（Ａ）に示すように、第１の基板と第２の基板を重ね合わせたときに、赤色発光
領域７００、緑色発光領域７０１、青色発光領域７０２と、イエロー発光領域７０３、マ
ゼンダ発光領域７０４、シアン発光領域７０５とが概略直交するような配置となるように
する。つまり、赤色発光領域７００がイエロー発光領域７０３、マゼンダ発光領域７０４
、シアン発光領域７０５とそれぞれ重なり、緑色発光領域７０１がイエロー発光領域７０
３、マゼンダ発光領域７０４、シアン発光領域７０５とそれぞれ重なり、青色発光領域７
０２がイエロー発光領域７０３、マゼンダ発光領域７０４、シアン発光領域７０５とそれ
ぞれ重なるようにする。
【０２１０】
図１２において、右斜めの斜線部分は、第１の基板において配線や、有機発光素子を駆
動するための素子などが形成されているため、遮光されている領域を示す。また、左斜め
の斜線部分は、第２の基板において配線や、有機発光素子を駆動するための素子などが形
成されているため、遮光されている領域を示す。よって、第１の基板と第２の基板を重ね
合わせて、第１の基板側（観察者側）から見た場合、第１の基板の赤色発光領域７００、
緑色発光領域７０１、青色発光領域７０２以外の領域においては、第２の基板に形成され
ている有機発光素子からの発光は遮光される。よって、観察者側から見た場合、第２の基
板のイエロー発光領域７０３の一部とマゼンダ発光領域７０４の一部とシアン発光領域７
０５の一部は、第１の基板の遮光領域によって遮光されてしまう。
【０２１１】
第１の基板の赤色発光領域７００、緑色発光領域７０１、青色発光領域７０２、第２の
基板のイエロー発光領域７０３、マゼンダ発光領域７０４、シアン発光領域７０５を全て
発光させた場合、観察者側から見ると、発光領域７０６、７０７、７０８、７０９、７１
０、７１１、７１２、７１３、７１４、７１５、７１６、７１７、７１８、７１９、７２
０の１５の異なる色の発光領域が形成されているように見える。
この場合、７０６には赤色とイエローの混色の発光領域が形成される。７０７には赤色
の発光領域が形成される。７０８には、赤色とマゼンダの発光領域が形成される。７０９
には赤色の発光領域が形成される。７１０には赤色とシアンの混色の発光領域が形成され
る。７１１には緑色とイェローの混色の発光領域が形成される。７１２には緑色の発光領
域が形成される。７１３には緑色とマゼンダの混色の発光領域が形成される。７１４には
緑色の発光領域が形成される。７１５には緑色とシアンの混色の発光領域が形成される。
７１６には青色とイェローの混色の発光領域が形成される。７１７には青色の発光領域が
形成される。７１８には青色とマゼンダの混色の発光領域が形成される。７１９には青色
の発光領域が形成される。７２０には青色とシアンの混色の発光領域が形成される。
【０２１２】
なお、図１２（Ａ）の７０６、７０８、７１０、７１１、７１３、７１５、７１６、７
１８、７２０において、第２の基板の発光領域の色については括弧書きで示している。
つまり、７０６に「Ｒ」、「（Ｙ）」と記載されているのは、第１の基板の赤色の発光
領域と第２の基板のイエローの発光領域が重なっていることを示し、７０７に「Ｒ」と記
載されているのは、第１の基板の赤色発光領域のみによって形成された領域であることを
示し、７０８に「Ｒ」、「（Ｍ）」と記載されているのは、第１の基板の赤色の発光領域
と第２の基板のマゼンダの発光領域が重なっていることを示し、７０９に「Ｒ」と記載さ
れているのは、第１の基板の赤色発光領域のみによって形成された領域であることを示し
、７１０に「Ｒ」、「（Ｃ）」と記載されているのは、第１の基板の赤色発光領域と第２
の基板のシアン発光領域が重なっていることを示す。７１１に「Ｇ」、「（Ｙ）」と記載
されているのは、第１の基板の緑色の発光領域と第２の基板のイエローの発光領域が重な
っていることを示し、７１２に「Ｇ」と記載されているのは、第１の基板の緑色発光領域
のみによって形成された領域であることを示し、７１３に「Ｇ」、「（Ｍ）」と記載され
ているのは、第１の基板の緑色の発光領域と第２の基板のマゼンダの発光領域が重なって
いることを示し、７１４に「Ｇ」と記載されているのは、第１の基板の緑色発光領域のみ
によって形成された領域であることを示し、７１５に「Ｇ」、「（Ｃ）」と記載されてい
るのは、第１の基板の緑色発光領域と第２の基板のシアン発光領域が重なっていることを
示す。７１６に「Ｂ」、「（Ｙ）」と記載されているのは、第１の基板の青色の発光領域
と第２の基板のイエローの発光領域が重なっていることを示し、７１７に「Ｂ」と記載さ
れているのは、第１の基板の青色発光領域のみによって形成された領域であることを示し
、７１８に「Ｂ」、「（Ｍ）」と記載されているのは、第１の基板の青色の発光領域と第
２の基板のマゼンダの発光領域が重なっていることを示し、７１９に「Ｂ」と記載されて
いるのは、第１の基板の青色発光領域のみによって形成された領域であることを示し、７
２０に「Ｂ」、「（Ｃ）」と記載されているのは、第１の基板の青色発光領域と第２の基
板のシアン発光領域が重なっていることを示す。
【０２１３】
よって、第１の基板の赤色発光領域７００のみを点灯状態とした場合には、７０６、７
０７、７０８、７０９、７１０は赤色発光領域となり、第１の基板の緑色発光領域７０１
のみを点灯状態とした場合には、７１１、７１２、７１３、７１４、７１５が緑色発光領
域となり、第１の基板の青色発光領域７０２のみを点灯状態とした場合には、７１６、７
１７、７１８、７１９、７２０が青色発光領域となる。第２の基板のイエロー発光領域７
０３のみを点灯状態とした場合には、７０６、７１１、７１６がイエロー発光領域となり
、第２の基板のマゼンダ発光領域７０４のみを点灯状態とした場合には、７０８、７１３
、７１８がマゼンダ発光領域となり、第２の基板のシアン発光領域７０５のみを点灯状態
とした場合には、７１０、７１５、７２０がシアン発光領域となる。
【０２１４】
図１３に図１２に示す画素構成の断面図を示す。図１３（Ａ）は、図１２（Ａ）のＡ−
Ａ’における断面図、図１３（Ｂ）は、図１２（Ａ）のＢ−Ｂ’における断面図である。
図１３は、本発明の表示装置の断面構造についてわかりやすく示すための断面概略図であ
り、第１の基板、第１の基板上に形成された赤色、緑色、青色の有機発光素子、第２の基
板、第２の基板上に形成されたイエロー、マゼンダ、シアンの有機発光素子のみを示して
ある。
【０２１５】
図１３（Ａ）において、第１の基板８００上には、赤色の有機発光素子８１１、緑色の
有機発光素子８１２、青色の有機発光素子８１３が形成されており、第２の基板８０１上
にはマゼンダの有機発光素子８２８が形成されている。そして、マゼンダの有機発光素子
８２８は、赤色の有機発光素子８１１、緑色の有機発光素子８１２、青色の有機発光素子
８１３と対向している。
【０２１６】
図１３（Ｂ）において、第１の基板８００上には、赤色の有機発光素子８１１が形成さ
れており、第２の基板８０１上には、イエローの有機発光素子８２７、マゼンダの有機発
光素子８２８、シアンの有機発光素子８２９が形成されている。
【０２１７】
赤色の有機発光素子８１１は、第１の電極８０２、第２の電極８０４、第１の電極８０
２と第２の電極８０４に挟まれた有機化合物を含む層８０３によって構成されている。緑
色の有機発光素子８１２は、第１の電極８０５、第２の電極８０７、第１の電極８０５と
第２の電極８０７に挟まれた有機化合物を含む層８０６によって構成されている。青色の
有機発光素子８１３は、第１の電極８０８、第２の電極８１０、第１の電極８０８と第２
の電極８１０に挟まれた有機化合物を含む層８０９によって構成されている。
【０２１８】
イエローの有機発光素子８２７は、第１の電極８１８、第２の電極８２０、第１の電極
８１８と第２の電極８２０に挟まれた有機化合物を含む層８１９によって構成されている
。マゼンダの有機発光素子８２８は、第１の電極８２１、第２の電極８２３、第１の電極
８２１と第２の電極８２３に挟まれた有機化合物を含む層８２２によって構成されている
。シアンの有機発光素子８２９は、第１の電極８２４、第２の電極８２６、第１の電極８
２４と第２の電極８２６に挟まれた有機化合物を含む層８２５によって構成されている。
【０２１９】
図１３において、白抜きの矢印がそれぞれの有機発光素子からの発光の方向を示してい
る。図１３においては、第１の基板に画像の表示を行っている。つまり第１の基板のみに
表示画面を形成している。よって、第１の基板に形成されている有機発光素子８１１、８
１２、８１３は両面出射型の構造に、第２の基板に形成されている有機発光素子８２７、
８２８、８２９は上面出射型の構造とする。
よって、第１の基板に形成されている有機発光素子の第１の電極及び第２の電極は透明
導電膜で形成し、第２の基板に形成されている有機発光素子の第２の電極は、透明導電膜
で形成する。なお、第２の基板に設けられた有機発光素子の第１の電極は、第１の基板に
形成された有機発光素子が第２の基板の方向に出射した光を第１の基板の方向に反射する
ために反射電極で形成するのが好ましい。
【０２２０】
なお、反射電極や透明導電膜を形成する材料については、実施の形態１に記載した材料
を用いればよい。
【０２２１】
このような構成とすることで、赤色、緑色、青色に加え、イエロー、マゼンダ、シアン
の色も重ねて表示することができる。よって、赤、緑、青の３色のみでは表現できなかっ
た色も表現することができる。
【０２２２】
なお、図１２、１３に示した画素構成は一例であって、この構成に限定されるものでは
ない。本実施の形態においては、シアン、マゼンダ、イエローの３色の有機発光素子を形
成した例を示したが、形成する有機発光素子の色数は、３色の場合に限定されない。シア
ン、マゼンダ、イエローの３色のうち１色または２色のみを形成してもよい。
また、形成する有機発光素子の色の種類は、赤色、緑色、青色の補色であるシアン、マ
ゼンダ、イエローのみに限定されない。赤色、緑色、青色以外の色であって、表示できる
色の範囲を大きくできるような色であればシアン、マゼンダ、イエロー以外の色であって
もよい。よって、赤の色度座標、緑の色度座標、青の色度座標を頂点とした三角形の範囲
外に色度座標を有する色の光を放出する有機発光素子であればどのような色であってもよ
い。
【０２２３】
また、イエロー、マゼンダ、シアンの並べ方も特に図１２の並べ方に限定されない。ま
た、図１２においては、第１の基板に設けられている有機発光素子の発光領域と、第２の
基板に形成されている有機発光素子の発光領域は、概略直交するように重ねられているが
、このような重ね方に限定されるものではなく、第１の基板に形成される有機発光素子の
発光領域と第２の基板に形成される発光領域が平行方向に設けられて、第１の基板に設け
られる有機発光素子の１色と第２の基板に設けられる有機発光素子の１色とがそれぞれ対
向して重なるようにしてもよい。しかし、第１の基板に設けられた有機発光素子の発光領
域と第２の基板に設けられた有機発光素子の発光領域を図１２に示すように配置する場合
には、第１の基板に設けられた１色の有機発光素子に対して第２の基板に設けられた３色
の有機発光素子が均一に重なるため、均一な色あいで表示を行うことができる。
【０２２４】
なお、本実施の形態においては、第１の基板に赤色、緑色、青色の有機発光素子を設け
、第２の基板にイエロー、マゼンダ、シアンの有機発光素子を設け、第１の基板に表示画
面を形成する場合についてのみ説明したが、これに限定されない。
【０２２５】
第１の基板に設ける有機発光素子と第２の基板に設ける有機発光素子を入れ替える構成
としてもよい。つまり、第１の基板にイエロー、マゼンダ、シアンの有機発光素子を設け、第２の基板に赤色、緑色、青色の有機発光素子を設ける構成としても良い。
【０２２６】
また、第１の基板と第２の基板の両方の基板に表示画面を形成する構成としてもよい。
この場合には、第１の基板に設ける有機発光素子と第２の基板に設ける有機発光素子を両
面出射型の有機発光素子とすればよい。すなわち、第１の基板に設ける有機発光素子及び
第２の基板に設ける有機発光素子の第１の電極及び第２の電極を透明導電膜で形成すれば
よい。
【０２２７】
（実施の形態５）
本実施の形態においては、本発明の第２の構成の一例について説明する。すなわち、赤
色の有機発光素子は第１の基板に形成され、青色の有機発光素子は第２の基板に形成され
、緑色の有機発光素子は、第１の基板または第２の基板の一方の基板に形成され、赤色の
補色、緑色の補色、青色の補色から選ばれた一色の有機発光素子が第１の基板または第２
の基板の他方の基板に形成されており、赤色の有機発光素子及び青色の有機発光素子の発
光領域の面積は、緑色の有機発光素子の発光領域の面積と比較して大きくした表示装置に
ついて説明する。
【０２２８】
実施の形態３においては、第１の基板には、赤色の有機発光素子と、緑色の有機発光素
子または白色の有機発光素子の一方の有機発光素子とが設けられ、第２の基板には、青色
の有機発光素子と、緑色の有機発光素子または白色の有機発光素子の他方の有機発光素子
とが設けられ、赤色の有機発光素子及び青色の有機発光素子の発光領域の面積は、緑色の
有機発光素子の発光領域の面積に比べて大きくした表示装置について説明した。この実施
の形態３において、白色の有機発光素子の代わりに赤色の補色、緑色の補色、青色の補色
のうちから選ばれた１色の有機発光素子を設ければ、本発明の第４の構成を実施すること
ができる。
【０２２９】
本実施の形態の構成により、赤色、青色は緑色と比較して視感度が低いため、赤色の有
機発光素子と青色の有機発光素子の発光領域の面積を緑色の有機発光素子の発光領域の面
積よりも大きくすることにより、赤色、緑色、青色のバランスをとることができる。さら
に、赤色の補色、緑色の補色、青色の補色のうちから選ばれた１色の有機発光素子が設け
られていることにより、赤色、緑色、青色のみでは表現できない色を表現できるようにな
るため、再現できる色の範囲を広げることができる。
また、第１の基板及び第２の基板に設けられる有機発光素子の色がそれぞれ２色である
ため、基板上に設ける画素数は同じにして基板上に３色の有機発光素子を設ける場合と比
較して、各ドットに設けられた有機発光素子を駆動するための素子の数を減らすことがで
きるため、開口率を向上させることができる。
【０２３０】
なお、赤色の補色、緑色の補色、青色の補色のうちどの色を選択するかは、求められる
画質に応じて決定すればよい。
また、赤色の補色、緑色の補色、青色の補色以外の色であっても、赤の色度座標、緑の
色度座標、青の色度座標を頂点とした三角形の範囲を広げることができるような色であれ
ば、前述の効果を得ることができる。よって、赤の補色、青の補色、緑の補色以外の色で
あっても赤の色度座標、緑の色度座標、青の色度座標を頂点とした三角形の範囲外に色度
座標を有する色の光を放出する有機発光素子であればどのような色であってもよい。
【０２３１】
（実施の形態６）
本実施の形態においては、本発明の第３の構成の一例について説明する。すなわち、第
１の基板に赤色、緑色、青色の有機発光素子を設け、第２の基板に赤色、緑色、青色の有
機発光素子を設け、観察者側から見て、第１の基板に設けられた有機発光素子と第２の基
板に設けられた有機発光素子は、異なる色同士が重なる構成を有する表示装置について図
２９、３０を用いて説明する。
【０２３２】
図２９に、本実施の形態の表示装置の画素構成を示す。図２９（Ａ）は、表示画面側、
つまり観察者側からみた場合の画素構成であり、図２９（Ｂ）は、第１の基板における画
素構成、図２９（Ｃ）は、第２の基板における画素構成を示す。
図２９（Ｂ）に示す画素構成を有する第１の基板と図２９（Ｃ）に示す画素構成を有す
る第２の基板を、互いに有機発光素子が形成されている面が対向するように重ね合わせる
ことによって、表示画面側、つまり観察者側から見ると、図２９（Ａ）に示すような画素
構成となる。
図２９（Ｂ）、（Ｃ）は、共に有機発光素子が形成されている面側からみた上面図であ
る。
なお、図２９は、第１の基板にのみ表示画面を形成した場合について示している。
【０２３３】
図２９（Ｂ）において、３１００は赤色の有機発光素子によって形成された赤色発光領
域、３１０１は緑色の有機発光素子によって形成された緑色発光領域、３１０２は青色の
有機発光素子によって形成された青色発光領域である。
図２９（Ｃ）において、３１０３は青色の有機発光素子によって形成された青色発光領
域、３１０４は赤色の有機発光素子によって形成された赤色発光領域、３１０５は緑色の
有機発光素子によって形成された緑色発光領域である。
なお、図２９においては、発光領域の重なり方をわかりやすくするため、配線などは記
載しておらず、発光領域のみ記載している。
【０２３４】
図２９において、右斜めの斜線部分は、第１の基板において配線や、有機発光素子を駆
動するための素子などが形成されているため、遮光されている領域を示す。また、左斜め
の斜線部分は、第２の基板において配線や、有機発光素子を駆動するための素子などが形
成されているため、遮光されている領域を示す。
本実施の形態の場合は、第１の基板に形成されている発光領域と第２の基板に形成され
ている発光領域はほぼ同じ大きさであり、同じ位置で重なるように形成されている。よっ
て、第１の基板の遮光領域と第２の基板の遮光領域もほぼ同じ位置に形成されている。
【０２３５】
第１の基板の赤色発光領域３１００、緑色発光領域３１０１、青色発光領域３１０２、
第２の基板の青色発光領域３１０３、赤色発光領域３１０４、緑色発光領域３１０５を全
て発光させた場合、観察者側から見ると、発光領域３１０６、３１０７、３１０８の３つ
の異なる色の発光領域が形成されているように見える。
この場合、３１０６には赤色と青色の混色の発光領域が形成される。３１０７には緑色
と赤色の混色の発光領域が形成される。３１０８には、青色と緑色の混色の発光領域が形
成される。
【０２３６】
なお、図２９（Ａ）において、３１０６、３１０７、３１０８は、第１の基板の発光領
域と第２の基板の発光領域が同じ位置で重なっているため、第２の基板の発光領域の色に
ついては括弧書きで示している。
つまり、３１０６に「Ｒ」、「（Ｂ）」と記載されているのは、第１の基板の赤色の発
光領域と第２の基板の青色の発光領域が重なっていることを示し、３１０７に「Ｇ」、「
（Ｒ）」と記載されているのは、第１の基板の緑色の発光領域と第２の基板の赤色の発光
領域が重なっていることを示し、３１０８に「Ｂ」、「（Ｇ）」と記載されているのは、
第１の基板の青色の発光領域と第２の基板の緑色の発光領域が重なっていることを示す。
【０２３７】
よって、第１の基板の赤色発光領域３１００のみを点灯状態とした場合には、３１０６
は赤色発光領域となり、第１の基板の緑色発光領域３１０１のみを点灯状態とした場合に
は、３１０７が緑色発光領域となり、第１の基板の青色発光領域３１０２のみを点灯状態
とした場合には、３１０８が青色発光領域となる。第２の基板の青色発光領域３１０３の
みを点灯状態とした場合には３１０６が青色発光領域となり、第２の基板の赤色発光領域
３１０４のみを点灯状態とした場合には、３１０７が赤色発光領域となり、第２の基板の
緑色発光領域３１０５のみを点灯状態とした場合には、３１０８が緑色発光領域となる。
【０２３８】
図３０に、図２９（Ａ）のＡ−Ａ’における断面図を示す。図３０は、本発明の表示装
置の断面構造についてわかりやすく示すための断面概略図であり、第１の基板、第１の基
板上に形成された赤色、緑色、青色の有機発光素子、第２の基板、第２の基板上に形成さ
れた赤色、緑色、青色の有機発光素子のみを示してある。
【０２３９】
図３０において、第１の基板１０００上には、赤色（Ｒ）の有機発光素子１０１１、緑
色（Ｇ）の有機発光素子１０１２、青色の有機発光素子１０１３が形成されており、第２
の基板１００１上には、青色の有機発光素子１０２７、赤色の有機発光素子１０２８、緑
色の有機発光素子１０２９が形成されている。
【０２４０】
第１の基板１０００上に形成された有機発光素子１０１１、１０１２、１０１３は、第
１の基板１０００の有機発光素子１０１１、１０１２、１０１３が設けられている面の方
向、及び第１の基板１０００の有機発光素子１０１１、１０１２、１０１３が設けられて
いる面とは反対側の面の方向、つまり第２の基板１００１の方向に発光する両面出射型（
デュアルエミッション型）の構造となっている。また、第２の基板１００１上に形成され
ている有機発光素子１０２７、１０２８、１０２９は、第２の基板１００１の有機発光素
子１０２７、１０２８、１０２９が設けられている面の方向、つまり第１の基板の方向に
発光する上方出射型（トップエミッション型）の構造となっている。
なお、図３０において、白抜きの矢印がそれぞれの有機発光素子からの発光の方向を示
している。
【０２４１】
赤色の有機発光素子１０１１は、第１の電極１００２、第２の電極１００４、第１の電
極１００２と第２の電極１００４に挟まれた有機化合物を含む層１００３によって構成さ
れている。緑色の有機発光素子１０１２は、第１の電極１００５、第２の電極１００７、
第１の電極１００５と第２の電極１００７に挟まれた有機化合物を含む層１００６によっ
て構成されている。青色の有機発光素子１０１３は、第１の電極１００８、第２の電極１
０１０、第１の電極１００８と第２の電極１０１０に挟まれた有機化合物を含む層１００
９によって構成されている。
青色有機発光素子１０２７は、第１の電極１０１７、第２の電極１０１９、第１の電極１
０１７と第２の電極１０１９に挟まれた有機化合物を含む層１０１８によって構成されて
いる。赤色有機発光素子１０２８は、第１の電極１０２０、第２の電極１０２２、第１の
電極１０２０と第２の電極１０２２に挟まれた有機化合物を含む層１０２１によって構成
されている。緑色有機発光素子１０２９は、第１の電極１０２３、第２の電極１０２５、
第１の電極１０２３と第２の電極１０２５に挟まれた有機化合物を含む層１０２４によっ
て構成されている。
【０２４２】
なお、各有機発光素子の第１の電極、第２の電極を形成する材料は、他の実施の形態に
記載されている材料を用いればよい。
【０２４３】
図３０に示すように、第１の基板上に形成されている赤色の有機発光素子１０１１が第
２の基板に形成されている青色の有機発光素子１０２７と対向し、第１の基板上に形成さ
れている緑色の有機発光素子１０１２が第２の基板上に形成されている赤色の有機発光素
子１０２８と対向し、第１の基板上に形成されている青色の有機発光素子１０１３が第２
の基板上に形成されている緑色の有機発光素子１０２９と対向するように、第１の基板１
０００と第２の基板１００１とは重ね合わせて設けられている。
【０２４４】
このように、異なる色同士が重なるようにすることによって、画像の分解能を向上させ
ることができる。
【０２４５】
この点について、図１６、図１７を用いて説明する。
図１６は、赤色、緑色、青色のドットを１画素としてカラー表示する通常の表示装置にお
いて、ドットが５行×７列形成されている部分を観察者側からみた上面図を示したもので
ある。
図１６において、Ｒは赤色の有機発光素子によって形成された赤色発光領域（赤色のド
ット）を示し、Ｇは緑色の有機発光素子によって形成された緑色発光領域（緑色のドット
）を示し、Ｂは青色の有機発光素子によって形成された青色発光領域（青色のドット）を
示す。
【０２４６】
例えば、青色の斜めの線を表示したい場合には、図１６で示すように青色のドット１１
００、１１０１、１１０２を点灯状態とする。なお、図１６において、斜線で示されてい
るドットは点灯しているドットを示し、斜線で示されていないドットは消灯状態のドット
を示す。
【０２４７】
図１７は、本実施の形態の表示装置において、第１の基板上のドットが５行×７列形成
されている部分を表示画面側からみた上面図を示す。なお、第１の基板のドットと第２の
基板のドットは、図２９に示すように観察者側から見ると同じ位置に重なって見えるため
、図１７においては、第２の基板のドットは括弧書きで記載してある。
【０２４８】
つまり、図１７において、Ｒは第１の基板に設けられている赤色の有機発光素子によっ
て形成された赤色発光領域（赤色のドット）を示し、Ｇは第１の基板に設けられている緑
色の有機発光素子によって形成された緑色発光領域（緑色のドット）を示し、Ｂは第１の
基板に設けられている青色の有機発光素子によって形成された青色発光領域（青色のドッ
ト）を示し、（Ｒ）は第２の基板に設けられている赤色の有機発光素子によって形成され
た赤色発光領域（赤色のドット）を示し、（Ｇ）は第２の基板に設けられている緑色の有
機発光素子によって形成された緑色発光領域（緑色のドット）を示し、（Ｂ）は第２の基
板に設けられている青色の有機発光素子によって形成された青色発光領域（青色のドット
）を示す。
よって、例えば、ドット１１００は、第１の基板に形成されているドットが青色であり、
第２の基板に形成されているドット（観察者側から見た場合、第１の基板に形成されてい
るドットと同じ位置に重なっている）は緑色である。
【０２４９】
本実施の形態の表示装置を用いて、図１６に記載した通常の表示装置と同じように青色
の斜めの線を表示したい場合には、図１７で示すように第１の基板に形成されている青色
のドット１１００、１１０１、１１０２に加えて、第２の基板に形成されている青色のド
ット１１０３、１１０４も点灯状態とする。なお、図１７においても、斜線で示されてい
るドットは点灯しているドットを示し、斜線で示されていないドットは消灯状態のドット
を示す。そして、点灯しているドットのうち第１の基板に形成されているドット１１００
、１１０１、１１０２については右斜めの斜線とし、点灯しているドットのうち第２の基
板に形成されているドット１１０３、１１０４については左斜めの斜線で示してある。
【０２５０】
図１６と図１７とを比較すればわかるように、図１７は図１６よりも画像の分解能が高
くなっている。つまり、第１の基板に設けられた有機発光素子と第２の基板に設けられた
有機発光素子は、異なる色の有機発光素子同士が重なるようにすることによって、画像の
分解能を向上させることができるため、より高精細な表示を行うことができる。
【０２５１】
なお、図２９、３０においては、第１の基板に形成されているドットと第２の基板に形
成されているドットが同じ位置で重なるように配置されている場合について示したが、こ
の構成に限定されない。
第１の基板に設けられている有機発光素子の発光領域と第２の基板に設けられている有
機発光素子は、観察者側から見て同じ色同士が重なるような構成になっていなければ、画
像の分解能を向上させることができる。つまり、第１の基板に設けられている有機発光素
子の発光領域と第２の基板に設けられている有機発光素子は、観察者側から見て異なる色
の同士が少なくとも一部において重なるような構成となっていれば、画像の分解能を向上
させるという効果が得られる。
よって、第１の基板に形成されている有機発光素子の発光領域と第２の基板に形成され
ている有機発光素子の発光領域を少しずらした状態で異なる色同士が一部において重なる
ようにしてもよい。
【０２５２】
第１の基板に形成されている有機発光素子の発光領域と第２の基板に形成されている有
機発光素子の発光領域を少しずらして、異なる色同士が一部において重なるようにした場
合について図１４、１５を用いて説明する。
【０２５３】
図１４に、本実施の形態の表示装置の画素構成を示す。図１４（Ａ）は、表示画面側、
つまり観察者側からみた場合の画素構成であり、図１４（Ｂ）は、第１の基板における画
素構成、図１４（Ｃ）は、第２の基板における画素構成を示す。
図１４（Ｂ）に示す画素構成を有する第１の基板と図１４（Ｃ）に示す画素構成を有す
る第２の基板を、互いに有機発光素子が形成されている面が対向するように重ね合わせる
ことによって、表示画面側、つまり観察者側から見ると、図１４（Ａ）に示すような画素
構成となる。
図１４（Ｂ）、（Ｃ）は、共に有機発光素子が形成されている面側からみた上面図であ
る。
なお、図１４は、第１の基板にのみ表示画面を形成した場合について示している。
【０２５４】
図１４（Ｂ）において、９００は赤色の有機発光素子によって形成された赤色発光領域
、９０１は緑色の有機発光素子によって形成された緑色発光領域、９０２は青色の有機発
光素子によって形成された青色発光領域である。
図１４（Ｃ）において、９０３は緑色の有機発光素子によって形成された緑色発光領域
の一部、９０４は青色の有機発光素子によって形成された青色発光領域、９０５は赤色の
有機発光素子によって形成された赤色発光領域、９０６は緑色の有機発光素子によって形
成された緑色発光領域の一部である。
【０２５５】
なお、図１４は、第１の基板における１画素の部分に対応する部分を示している。よっ
て、第２の基板における断面図である図１４（Ｃ）の緑色発光領域９０３、９０６は一部
のみ示してある。
なお、図１４においては、発光領域の重なり方をわかりやすくするため、配線などは記
載しておらず、発光領域のみ記載している。
なお、図１４は、第１の基板にのみ表示画面を形成した場合について示している。
【０２５６】
図１４（Ｂ）において、９００は赤色の有機発光素子によって形成された赤色発光領域
、９０１は緑色の有機発光素子によって形成された緑色発光領域、９０２は青色の有機発
光素子によって形成された青色発光領域である。
図１４（Ｃ）において、９０３は緑色の有機発光素子によって形成された緑色発光領域
、９０４は青色の有機発光素子によって形成された青色発光領域、９０５は赤色の有機発
光素子によって形成された赤色発光領域、９０６は緑色の有機発光素子によって形成され
た緑色発光領域である。
【０２５７】
図１４において、右斜めの斜線部分は、第１の基板において配線や、有機発光素子を駆
動するための素子などが形成されているため、遮光されている領域を示す。また、左斜め
の斜線部分は、第２の基板において配線や、有機発光素子を駆動するための素子などが形
成されているため、遮光されている領域を示す。
よって、第１の基板と第２の基板を重ね合わせて、第１の基板側（観察者側）から見た
場合、第１の基板の赤色発光領域９００、緑色発光領域９０１、青色発光領域９０２以外
の領域においては、第２の基板に形成されている有機発光素子からの発光は遮光される。
よって、観察者側から見た場合、第２の基板の緑色発光領域の一部９０３の一部と青色発
光領域９０４の一部と赤色発光領域９０５の一部と緑色発光領域の一部９０６の一部は、
第１の基板の遮光領域によって遮光されてしまう。
【０２５８】
第１の基板の赤色発光領域９００、緑色発光領域９０１、青色発光領域９０２、第２の
基板の緑色発光領域の一部９０３、青色発光領域９０４、赤色発光領域９０５、緑色発光
領域の一部９０６を全て発光させた場合、観察者側から見ると、発光領域９０７、９０８
、９０９、９１０、９１１、９１２、９１３、９１４、９１５の９つの異なる色の発光領
域が形成されているように見える。
この場合、９０７には赤色と緑色の混色の発光領域が形成される。９０８には赤色の発
光領域が形成される。９０９には赤色と青色の混色の発光領域が形成される。９１０には
緑色と青色の混色の発光領域が形成される。９１１には緑色の発光領域が形成される。９
１２には緑色と赤色の混色の発光領域が形成される。９１３には青色と赤色の混色の発光
領域が形成される。９１４には青色の発光領域が形成される。９１５には青色と緑色の混
色の発光領域が形成される。
【０２５９】
なお、図１４（Ａ）の９０７、９０９、９１０、９１２、９１３、９１５において、第
２の基板の発光領域の色については括弧書きで示している。
つまり、９０７に「Ｒ」、「（Ｇ）」と記載されているのは、第１の基板の赤色の発光
領域と第２の基板の緑色の発光領域が重なっていることを示し、９０８に「Ｒ」と記載さ
れているのは、第１の基板の赤色発光領域のみによって形成されている領域であることを
示し、９０９に「Ｒ」、「（Ｂ）」と記載されているのは、第１の基板の赤色の発光領域
と第２の基板の青色の発光領域が重なっていることを示し、９１０に「Ｇ」、「（Ｂ）」
と記載されているのは、第１の基板の緑色の発光領域と第２の基板の青色の発光領域が重
なっていることを示し、９１１に「Ｇ」と記載されているのは、第１の基板の緑色発光領
域のみによって形成されている領域であることを示し、９１２に「Ｇ」「（Ｒ）」と記載
されているのは、第１の基板の緑色発光領域と第２の基板の赤色発光領域とが重なってい
ることを示し、９１３に「Ｂ」、「（Ｒ）」と記載されているのは、第１の基板の青色発
光領域と第２の基板の赤色発光領域とが重なっているのを示し、９１４に「Ｂ」と記載さ
れているのは、第１の基板の青色発光領域のみによって形成されている領域であることを
示し、９１５に「Ｂ」、「（Ｇ）」と記載されているのは、第１の基板の青色発光領域と
第２の基板の緑色発光領域が重なっていることを示す。
【０２６０】
よって、第１の基板の赤色発光領域９００のみを点灯状態とした場合には、９０７、９
０８、９０９は赤色発光領域となり、第１の基板の緑色発光領域９０１のみを点灯状態と
した場合には、９１０、９１１、９１２が緑色発光領域となり、第１の基板の青色発光領
域９０２のみを点灯状態とした場合には、９１３、９１４、９１５が青色発光領域となる
。第２の基板の緑色発光領域９０３のみを点灯状態とした場合には９０７が緑色発光領域
となり、第２の基板の青色発光領域９０４のみを点灯状態とした場合には、９０９、９１
０が青色発光領域となり、第２の基板の赤色発光領域９０５のみを点灯状態とした場合に
は、９１２、９１３が緑色発光領域となり、第２の基板の緑色発光領域９０６のみを点灯
状態とした場合には９１５が緑色発光領域となる。
【０２６１】
図１５に、図１４（Ａ）のＡ−Ａ’における断面図を示す。図１５は、本発明の表示装
置の断面構造についてわかりやすく示すための断面概略図であり、第１の基板、第１の基
板上に形成された赤色、緑色、青色の有機発光素子、第２の基板、第２の基板上に形成さ
れた赤色、緑色、青色の有機発光素子のみを示してある。
【０２６２】
図１５において、第１の基板１０００上には、赤色（Ｒ）の有機発光素子１０１１、緑
色（Ｇ）の有機発光素子１０１２、青色の有機発光素子１０１３が形成されており、第２
の基板１００１上には、緑色の有機発光素子１０２６、１０２９、青色の有機発光素子１
０２７、赤色の有機発光素子１０２８が形成されている。なお、図１５において、緑色の
有機発光素子１０２６、１０２９は、一部のみ示されている。
【０２６３】
図１５において、図３０と同じ構成のものには同じ符号を付してある。
図１５において、１０２６は緑色の有機発光素子であり、第１の電極１０１４と、第２
の電極１０１６と、第１の電極１０１４と第２の電極１０１６とに挟まれた有機化合物を
含む層１０１５とで構成されている。
【０２６４】
図１５に示すように、第１の基板上に形成されている赤色の有機発光素子１０１１が第
２の基板に形成されている緑色の有機発光素子１０２６の一部及び青色の有機発光素子１
０２７の一部と対向し、第１の基板上に形成されている緑色の有機発光素子１０１２が第
２の基板上に形成されている青色の有機発光素子１０２７の一部及び赤色の有機発光素子
１０２８の一部と対向し、第１の基板上に形成されている青色の有機発光素子１０１３が
第２の基板上に形成されている赤色の有機発光素子１０２８及び緑色の有機発光素子１０
２９の一部と対向するように、第１の基板１０００と第２の基板１００１とは重ね合わせ
て設けられている。つまり、第１の基板に形成されている有機発光素子と第２の基板に形
成されている有機発光素子は、少しずつずれて重なるように、且つ異なる色の有機発光素
子同士が一部において重なるように設けられている。
【０２６５】
このように、異なる色同士が重なるようにすることによって、画像の分解能を向上させ
ることができる。
【０２６６】
（実施の形態７）
本実施の形態においては、本発明の第４の構成について、すなわち第１の基板または第
２の基板の一方の基板に赤色、緑色、青色の有機発光素子を設け、第１の基板または第２
の基板の他方の基板に青色の有機発光素子を設けた例について説明する。
第１の基板または第２の基板の一方の基板に赤色、緑色、青色の有機発光素子を設け、
第１の基板または第２の基板の他方の基板に青色の有機発光素子を設けられた構成とする
には、実施の形態１において、第２の基板に設けられた白色の有機発光素子１２０のかわ
りに青色の有機発光素子を設ければよい。
【０２６７】
白色の有機発光素子を設けた場合には、表示画面全体の明るさを均一に変化させる必要
があったため、第１の基板に設けられた赤、緑、青色の有機発光素子によって形成された
発光領域と白色の有機発光素子とが均一に重なるようにした。しかし、第２の基板に青色
の有機発光素子を設ける場合には、第１の基板に設けられた青色の有機発光素子の輝度を
補う目的で設けられるため、第１の基板に設けられた赤、緑、青色の有機発光素子によっ
て形成された発光領域と青色の有機発光素子とが均一に重なるようにする必要はない。例
えば、第１の基板に設けられた青色の有機発光素子のみと重なるように第２の基板に青色
の有機発光素子を設けてもよい。
【０２６８】
また、第２の基板に設ける有機発光素子は、青色の有機発光素子に限定されるものでは
ない。例えば、第１の基板に設けられた赤色の有機発光素子のみでは輝度が不足している
場合には、赤色の有機発光素子を設けても良いし、第１の基板に設けられた緑色の有機発
光素子のみでは輝度が不足している場合には、緑色の有機発光素子を設けても良い。
【実施例１】
【０２６９】
本実施例では、実施の形態４とは異なる本発明の第２の構成の画素構成の例について説
明する。
図２０に実施の形態４とは異なる表示装置の画素構成を示す。
図２０（Ａ）は、表示画面側からみた場合の画素構成であり、図２０（Ｂ）は、第１の
基板における画素構成、図２０（Ｃ）は、第２の基板における画素構成を示す。
図２０（Ｂ）に示す画素構成を有する第１の基板と図２０（Ｃ）に示す画素構成を有す
る第２の基板を、互いに有機発光素子が形成されている面が対向するように重ね合わせる
ことによって、表示画面側、つまり観察者側から見ると、図２０（Ａ）に示すような画素
構成となる。なお、表示画面は第１の基板に形成される。図２０（Ｂ）、（Ｃ）は、共に
有機発光素子が形成されている面側からみた上面図である。
【０２７０】
図２０（Ｂ）において、１４００、１４０３、１４０６は赤色（Ｒ）の有機発光素子に
よって形成された赤色発光領域、１４０１、１４０４、１４０７は緑色（Ｇ）の有機発光
素子によって形成された緑色発光領域、１４０２、１４０５、１４０８は青色（Ｂ）の有
機発光素子によって形成された青色発光領域である。
【０２７１】
図２０（Ｃ）において、１４１０はシアン（Ｃ）の有機発光素子によって形成されたシ
アン発光領域、１４１１はマゼンダ（Ｍ）の有機発光素子によって形成されたマゼンダ発
光領域、１４１２はイエロー（Ｙ）の有機発光素子によって形成されたイエロー発光領域
である。
なお、図２０においては、発光領域の重なり方をわかりやすくするため、配線などは記
載していない。
【０２７２】
図２０に示すように赤色発光領域１４００、緑色発光領域１４０１、青色発光領域１４
０２とシアン発光領域１４１０とが重なるようにし、赤色発光領域１４０３、緑色発光領
域１４０４、青色発光領域１４０５とマゼンダ発光領域１４１１とが重なるようにし、赤
色発光領域１４０６、緑色発光領域１４０７、青色発光領域１４０８とイエロー発光領域
１４１２とが重なるようにする。このような構成とすることで、赤、緑、青の３色のみで
は表現できなかった色も表現することができる。
【０２７３】
図２０において、右斜めの斜線部分は、第１の基板において配線や、有機発光素子を駆
動するための素子などが形成されているため、遮光されている領域を示す。また、左斜め
の斜線部分は、第２の基板において配線や、有機発光素子を駆動するための素子などが形
成されているため、遮光されている領域を示す。よって、第１の基板と第２の基板を重ね
合わせて、第１の基板側（観察者側）から見た場合、第１の基板の赤色発光領域１４００
、１４０３、１４０６、緑色発光領域１４０１、１４０４、１４０７、青色発光領域１４
０２、１４０５、１４０８以外の領域においては、第２の基板に形成されている有機発光
素子からの発光は遮光される。よって、観察者側から見た場合、第２の基板のシアン発光
領域１４１０の一部とマゼンダ発光領域１４１１の一部とイエロー発光領域１４１２の一
部は、第１の基板の遮光領域によって遮光されてしまう。
【０２７４】
第１の基板の赤色発光領域１４００、１４０３、１４０６、緑色発光領域１４０１、１
４０４、１４０７、青色発光領域１４０２、１４０５、１４０８、第２の基板のシアン発
光領域１４１０、マゼンダ発光領域１４１１、イエロー発光領域１４１２を全て発光させ
た場合、観察者側から見ると、発光領域１４１３、１４１４、１４１５、１４１６、１４
１７、１４１８、１４１９、１４２０、１４２１の９つの異なる色の発光領域が形成され
ているように見える。
この場合、１４１３には赤色とシアンの混色の発光領域が形成される。１４１４には緑
色とシアンの混色の発光領域が形成される。１４１５には青色とシアンの混色の発光領域
が形成される。１４１６には赤色とマゼンダの発光領域が形成される。１４１７には緑色
とマゼンダの混色の発光領域が形成される。１４１８には青色とマゼンダの混色の発光領
域が形成される。１４１９には赤色とイエローの混色の発光領域が形成される。１４２０
には緑色とイェローの混色の発光領域が形成される。１４２１には青色とイェローの混色
の発光領域が形成される。
【０２７５】
なお、図２０（Ａ）の１４１３、１４１４、１４１５、１４１６、１４１７、１４１８
、１４１９、１４２０、１４２１において、第２の基板の発光領域の色については括弧書
きで示している。
つまり、１４１３に「Ｒ」、「（Ｃ）」と記載されているのは、第１の基板の赤色発光
領域と第２の基板のシアン発光領域が重なっていることを示す。１４１４に「Ｇ」、「（
Ｃ）」と記載されているのは、第１の基板の緑色発光領域と第２の基板のシアン発光領域
が重なっていることを示す。１４１５に「Ｂ」、「（Ｃ）」と記載されているのは、第１
の基板の青色発光領域と第２の基板のシアン発光領域が重なっていることを示す。１４１
６に「Ｒ」、「（Ｍ）」と記載されているのは、第１の基板の赤色の発光領域と第２の基
板のマゼンダの発光領域が重なっていることを示す。１４１７に「Ｇ」、「（Ｍ）」と記
載されているのは、第１の基板の緑色の発光領域と第２の基板のマゼンダの発光領域が重
なっていることを示す。１４１８に「Ｂ」、「（Ｍ）」と記載されているのは、第１の基
板の青色の発光領域と第２の基板のマゼンダの発光領域が重なっていることを示す。１４
１９に「Ｒ」、「（Ｙ）」と記載されているのは、第１の基板の赤色の発光領域と第２の
基板のイエローの発光領域が重なっていることを示す。１４２０に「Ｇ」、「（Ｙ）」と
記載されているのは、第１の基板の緑色の発光領域と第２の基板のイエローの発光領域が
重なっていることを示す。１４２１に「Ｂ」、「（Ｙ）」と記載されているのは、第１の
基板の青色の発光領域と第２の基板のイエローの発光領域が重なっていることを示す。
【０２７６】
よって、第１の基板の赤色発光領域１４００のみを点灯状態とした場合には、１４１３
は赤色発光領域となり、第１の基板の緑色発光領域１４０１のみを点灯状態とした場合に
は、１４１４が緑色発光領域となり、第１の基板の青色発光領域１４０２のみを点灯状態
とした場合には、１４１５が青色発光領域となる。第２の基板のシアン発光領域１４１０
のみを点灯状態とした場合には、１４１３、１４１４、１４１５がシアン発光領域となり
、第２の基板のマゼンダ発光領域１４１１のみを点灯状態とした場合には、１４１６、１
４１７、１４１８がマゼンダ発光領域となり、第２の基板のイエロー発光領域１４１２の
みを点灯状態とした場合には、１４１９、１４２０、１４２１がイエロー発光領域となる
。
【０２７７】
なお、本実施例においては、シアン、マゼンダ、イエローの３色の有機発光素子を形成
した例を示したが、形成する有機発光素子の３色を形成する場合に限定されない。シアン
、マゼンダ、イエローの３色のうち１色または２色のみを形成してもよい。
また、形成する有機発光素子の色の種類は、赤色、緑色、青色の補色であるシアン、マ
ゼンダ、イエローのみに限定されない。赤色、緑色、青色以外の色であって、表示できる
色の範囲を大きくできるような色であればシアン、マゼンダ、イエロー以外の色であって
もよい。つまり、赤の色度座標、緑の色度座標、青の色度座標を頂点とした三角形の範囲
外に色度座標を有する色の光を放出する有機発光素子であればどのような色であってもよ
い。
【０２７８】
なお、本実施例においては、第１の基板に赤色、緑色、青色の有機発光素子を設け、第
２の基板にシアン、マゼンダ、イエローの有機発光素子を設け、第１の基板に表示画面を
形成する場合についてのみ説明したが、これに限定されない。
【０２７９】
第１の基板に設ける有機発光素子と第２の基板に設ける有機発光素子を入れ替える構成
としてもよい。つまり、第１の基板にシアン、マゼンダ、イエローの発光素子を設け、第
２の基板に赤色、緑色、青色の有機発光素子を設ける構成としても良い。
【０２８０】
また、第１の基板と第２の基板の両方の基板に表示画面を形成する構成としてもよい。
この場合には、第１の基板に設ける有機発光素子と第２の基板に設ける有機発光素子を両
面出射型の有機発光素子とすればよい。すなわち、第１の基板に設ける有機発光素子及び
第２の基板に設ける有機発光素子の第１の電極及び第２の電極を透明導電膜で形成すれば
よい。
【実施例２】
【０２８１】
以上の実施の形態で説明した例は、第１の基板と第２の基板の有機発光素子が設けられ
た面を互いに対向させることによって封止する表示装置について説明したが、本実施例で
は第１の基板、第２の基板に加えて第３の基板を用いて第１の基板、第２の基板を封止す
る構造の表示装置について図２１を用いて説明する。
【０２８２】
本実施例では、実施の形態１と同様に第１の基板に赤色、緑色、青色の有機発光素子が
形成され、第２の基板に白色の有機発光素子が設けられた場合、すなわち本発明の第１の
構成において、（Ａ）の配置にした場合を例にして説明するが、この場合に限定されるも
のではない。第１の基板、第２の基板に形成される有機発光素子の組み合わせは、本発明
の第１〜第４の構成のいずれの場合であっても実施できるものである。
【０２８３】
図２１（Ａ）において、１５００は第１の基板、１５０１は第２の基板１５３０は第３
の基板である。
第１の基板１５００と第２の基板１５０１は、ガラス基板やプラスチック基板などの透
光性基板を用いる。
【０２８４】
第１の基板１５００には、赤色の有機発光素子１５２１と、緑色の有機発光素子１５２
２と、青色の有機発光素子１５２３とが形成されている。
また、第２の基板１５０１には白色の有機発光素子１５２０が設けられている。
【０２８５】
赤色の有機発光素子１５２１は、第１の電極１５１０と、第２の電極１５０８と、第１
の電極１５１０と第２の電極１５０８との間に挟まれた有機化合物層１５０９によって構
成されている。
緑色の有機発光素子１５２２は、第１の電極１５１３と、第２の電極１５１１と、第１
の電極１５１３と第２の電極１５１１との間に挟まれた有機化合物層１５１２によって構
成されている。
青色の有機発光素子１５２３は、第１の電極１５１６と、第２の電極１５１４と、第１
の電極１５１６と第２の電極１５１４との間に挟まれた有機化合物層１５１５によって構
成されている。
【０２８６】
また、白色の有機発光素子１５２０は、第１の電極１５０５と、第２の電極１５０７と
、第１の電極１５０５と第２の電極１５０７との間に挟まれた有機化合物層１５０６によ
って構成されている。
【０２８７】
そして、図２１（Ａ）に示すように、第１の基板の有機発光素子１５２１、１５２２、
１５２３が設けられている面と、第２の基板の有機発光素子１５２０が設けられている面
とは逆側の面とが対向するように第１の基板と第２の基板が貼り合わせられている。
【０２８８】
また、第２の基板の有機発光素子１５２０が設けられている面と第３の基板とが対向す
るように第２の基板と第３の基板とが貼り合わせられている。
【０２８９】
第１の基板に対しては第２の基板が対向基板の機能を果たし、第２の基板に対しては第
３の基板が対向基板の機能を果たしている。
【０２９０】
第１の基板に設けられた有機発光素子１５２１、１５２２、１５２３は第１の基板１５
００の両面側の方向に発光する両面出射型（デュアルエミッション型）の構造の有機発光
素子とする。
よって、有機発光素子１５２１の有する第１の電極１５１０及び第２の電極１５０８と
、有機発光素子１５２２の有する第１の電極１５１３及び第２の電極１５１１と、有機発
光素子１５２３の有する第１の電極１５１６及び第２の電極１５１４は、全て透明導電膜
で形成する。
【０２９１】
また、第２の基板に設けられた有機発光素子１５２０は、第２の基板１５０１の有機発
光素子１５２０が設けられた面とは逆側の面の方向、つまり第１の基板の方向に発光する
下方出射型（ボトムエミッション型）の構造の有機発光素子とする。
よって、有機発光素子１５２０の第１の電極１５０５は透明導電膜で形成し、第２の電
極１５０７は反射機能を有する電極とする。反射機能を有する電極としては、実施の形態
１において例示した材料を用いて形成すればよい。
【０２９２】
なお、図２１（Ａ）において、白抜きの矢印がそれぞれの有機発光素子からの発光の方
向を示している。
【０２９３】
以上で説明した構成とすることによって、有機発光素子１５２１、１５２２、１５２３
は、第１の基板１５００の両面の方向に発光し、有機発光素子１５２０は、第２の基板１
５０１の白色の有機発光素子１５２０が設けられた面とは逆側の方向に発光する。そして
、有機発光素子１５２１、１５２２、１５２３から第２の基板１５０１の方向へ出射した
光は、第２の基板１５０１に設けられた白色の有機発光素子１５２０の第２の電極１５０
７（反射機能を有する電極）によって反射されて第１の基板１５００の方向に進む。よっ
て、第１の基板１５００に、表示画面が形成される。そして、表示画面には、白色の有機
発光素子１５２０によって明るさが調整された映像が表示画面に表示される。
【０２９４】
なお、本実施例のように３枚の基板で封止する構造の表示装置においても、２枚の基板
で封止する構造の表示装置と同様に第１の基板に設ける有機発光素子と第２の基板に設け
る有機発光素子とを入れ替えた構造とすることや、両面に表示画面を形成する構造とする
ことも可能である。
【０２９５】
第１の基板に設ける有機発光素子と第２の基板に設ける有機発光素子を入れ替えた構造
とした例を図２１（Ｂ）に示す。
図２１（Ｂ）において、図２１（Ａ）と共通する構成については同じ記号を付してある
。
【０２９６】
第２の基板１５０１の有機発光素子１５２０が設けられている面と、第１の基板１５０
０の有機発光素子１５２１、１５２２、１５２３が設けられている面と逆側の面とが対向
するように第１の基板１５００と第２の基板１５０１とが貼り合わせられている。
また、第１の基板１５００の有機発光素子１５２１、１５２２、１５２３が設けられて
いる面と第３の基板とが対向するように第１の基板と第３の基板が貼り合わせられている
。
【０２９７】
図２１（Ｂ）において、図２１（Ａ）と異なる点は、第１の基板１５００と第２の基板
１５０１との配置が入れ替わっている点、第１の基板に設けられた有機発光素子１５２１
、１５２２、１５２３の有する第２の電極１５０８、１５１１、１５１４が反射機能を有
する電極で形成されている点、第２の基板１５０１に設けられている有機発光素子１５２
０の第２の電極１５０７が透明導電膜で形成されている点である。
【０２９８】
このような構成とすることにより、第１の基板１５００に設けられた有機発光素子１５
２１、１５２２、１５２３は、第１の基板１５００の有機発光素子１５２１、１５２２、
１５２３が設けられている面とは逆側の面の方向に発光し、第２の基板１５０１に設けら
れた有機発光素子１５２０は、第２の基板の両面の方向に発光する。そして、白色の有機
発光素子１５２０から第１の基板１５００の方向に出射した光は、第１の基板に設けられ
た有機発光素子１５２１、１５２２、１５２３の第２の電極（反射機能を有する電極）に
よって反射されて第２の基板１５０１の方向に進む。よって、第２の基板１５０１に表示
画面が形成される。そして、表示画面には、白色の有機発光素子１５２０によって明るさ
が調整された映像が表示画面に表示される。
【０２９９】
また、３枚の基板で封止する構造の表示装置において、両面に表示画面を形成する構造
とした例について図２２を用いて説明する。
【０３００】
図２２において、図２１（Ａ）と共通の構成については同じ記号を付してある。
図２２において、図２１（Ａ）と異なる点は、第２の基板１５０１に設けられた有機発
光素子１５２０の第２の電極１５０７を透明導電膜で形成している点である。
【０３０１】
このような構成とすることにより、第１の基板１５００に設けられた有機発光素子１５
２１、１５２２、１５２３、及び第２の基板１５０１に設けられた有機発光素子１５２０
の第１の電極及び第２の電極は全て透明導電膜で形成されているため、第１の基板に設け
られた有機発光素子１５２１、１５２２、１５２３と、第２の基板に設けられた白色の有
機発光素子１５２０は全て両面出射型の有機発光素子となっている。よって、図２２に示
すように第１の基板１５００と第２の基板１５０１の両方から光が出射されるため、第１
の基板と第２の基板の両方に表示画面を形成することができる。
【０３０２】
なお、第１の基板に形成された表示画面において視認される画像と、第２の基板に形成
された表示画面において視認される画像とは鏡像となっている。また、第１の基板及び第
２の基板が透光性基板であるため、第１の基板及び第２の基板を通して向こう側の景色が
透けて見える状態で表示画面が形成される。
【０３０３】
なお、第１の基板、第２の基板に偏光板を設けることによって、第１の基板上に形成さ
れた表示画面からも第２の基板上に形成された表示画面からも第１の基板及び第２の基板
を通して向こう側の景色が見えないようにすることも可能である。
【０３０４】
また、第３の基板のみに表示画面を形成する構成とすることも可能である。
この場合、第１の基板に設ける有機発光素子を上方出射型の有機発光素子とし、第２の
基板に設ける有機発光素子を両面出射型の有機発光素子とし、第２の基板及び第３の基板
を透光性基板とすればよい。つまり、第１の基板に設ける有機発光素子の第２の電極を透
明導電膜で形成し、第２の基板に設ける有機発光素子の第１の電極及び第２の電極を透明
導電膜で形成すればよい。
【０３０５】
例えば、図２１（Ａ）は、第１の基板１５００のみに表示画面を形成した構成となって
いるが、これを第３の基板１５３０のみに表示画面を形成する構成とするには、第１の基
板１５００に設けられている有機発光素子１５２１、１５２２、１５２３の第２の電極１
５０８、１５１１、１５１４を透明導電膜で形成し、第２の基板１５０１に形成されてい
る有機発光素子１５２０の第１の電極１５０５及び第２の電極１５０７を透明導電膜で形
成するようにすればよい。
【実施例３】
【０３０６】
本実施例では、図１に示した表示装置のより詳細な断面構造の例について図２３を用い
て説明する。図２３は、図１に示した表示装置のＡ−Ａ’における断面図を示す。なお、
図２３は、図１の表示装置において、図３（Ａ）に示した断面構造を有している場合の、
より詳細な断面構造を示す。すなわち、図１の表示装置において、赤色の有機発光素子、
緑色の有機発光素子、青色の有機発光素子が形成された第１の基板と、白色の有機発光素
子が形成された第２の基板とを重ね合わせて、第１の基板に表示画面を形成した場合の、
より詳細な断面構造の例を示す。
なお、図２３において、画素部分の断面部分は１画素における断面図のみを示している
。
【０３０７】
まず、第１の基板１６０１上に画素部分に設けられるＴＦＴ１６２０Ｒ、１６２０Ｇ、
１６２０Ｂ、周辺駆動回路のＴＦＴ１６５０、絶縁膜１６１２、保護膜１６１３を形成す
る。これらのＴＦＴと同時に引き回し配線１６１４、１６１５、接続端子１６１６を形成
する。なお、１６２０Ｒは赤色の有機発光素子を駆動するための薄膜トランジスタ、１６
２０Ｇは緑色の有機発光素子を駆動するための薄膜トランジスタ、１６２０Ｂは青色の有
機発光素子を駆動するための薄膜トランジスタである。
【０３０８】
次いで、有機発光素子１６２１Ｒ、１６２１Ｇ、１６２１Ｂの陽極（或いは陰極）とな
る第１の電極１６４１を形成し、第１の電極の端部を覆う絶縁物（隔壁）１６２８を形成
する。次いで、有機化合物を含む層と、第２の電極を形成して有機発光素子１６２１Ｒ、
１６２１Ｇ、１６２１Ｂを形成する。
なお、１６２１Ｒは赤色の有機発光素子、１６２１Ｇは緑色の有機発光素子、１６２１
Ｂは青色の有機発光素子であり、各有機発光素子の第１の電極と第２の電極は透明導電膜
を用いて形成する。各有機発光素子の第１の電極と第２の電極を透明導電膜で形成するこ
とによって、両面出射型の構造とする。
【０３０９】
そして、有機発光素子１６２１Ｒ、１６２１Ｇ、１６２１Ｂ上に保護膜１６４３を形成
する。
【０３１０】
なお、有機発光素子１６２１Ｒにおける有機化合物を含む層は、赤色発光材料を含んで
おり、有機発光素子１６２１Ｇにおける有機化合物を含む層は、緑色発光材料を含んでお
り、有機発光素子１６２１Ｂにおける有機化合物を含む層は、青色発光材料を含んでいる
。
【０３１１】
また、第２の基板１６０６上にもＴＦＴ１６１０Ｗ、周辺駆動回路のＴＦＴ１６５１、
絶縁膜１６０２、保護膜１６０３を形成する。ＴＦＴと同時に引き回し配線１６２４、１
６２５、接続端子１６３６を形成する。なお、ＴＦＴ１６１０Ｗは白色の有機発光素子を
駆動するための薄膜トランジスタである。
【０３１２】
次いで、有機発光素子１６１１Ｗの陽極（或いは陰極）となる第１の電極１６４０を形
成し、第１の電極の端部を覆う絶縁物（隔壁）１６０８を形成する。次いで、有機化合物
を含む層と、第２の電極を形成して有機発光素子１６１１Ｗを形成する。
なお、有機発光素子１６１１Ｗは、白色の有機発光素子であり、有機発光素子１６１１
Ｗの第１の電極は反射機能を有する電極で形成し、第２の電極は透明導電膜で形成する。
【０３１３】
そして、有機発光素子１６１１Ｗ上に保護膜１６４２を形成する。なお、有機発光素子
１６１１Ｗにおける有機化合物を含む層は、白色発光材料を含んでいる。
【０３１４】
次いで、第１の基板１６０１と、第２の基板１６０６とをシール材１６０５と充填材１
６０７とで貼りあわせる。充填材１６０７は透明な材料を用いる。貼りあわせる際、図２
３に示すように、第１の基板の有機発光素子１６２１Ｒ、１６２１Ｇ、１６２１Ｂが形成
された面と、第２の基板の有機発光素子１６１１Ｗが形成された面とが対向するように、
且つ第１の基板に形成された有機発光素子１６２１Ｒ、１６２１Ｇ、１６２１Ｂと第２の
基板に形成された有機発光素子１６１１Ｗとが重なるように配置する。こうして、白色発
光の有機発光素子によって明るさを調整することができるフルカラー表示用の表示装置を
完成させる。
【０３１５】
最後にＦＰＣ１６１８、１６３８をそれぞれ異方性導電膜１６１９、１６３９により接
続端子１６１６、１６３６に貼りつける。
【０３１６】
図２３に示す表示装置において、第１の基板の形成された有機発光素子１６２１Ｒ、１
６２１Ｇ、１６２１Ｂは第１の基板の両面の方向に発光する。１６２１Ｒ、１６２１Ｇ、
１６２１Ｂから第２の基板の方向へ出射した光は第２の基板に形成された白色の有機発光
素子１６１１Ｗの第１の電極（反射機能を有する電極）で反射されて第１の基板の方向に
進む。また、第２の基板に形成された有機発光素子１６１１Ｗは第１の基板の方向に発光
する。よって、第１の基板を通過した各有機発光素子の発光による表示を観察者が視認で
きる構造となっている。つまり、第１の基板に表示画面が形成された構造となっている。
なお、図２３において、白抜きの矢印が各有機発光素子からの発光の方向を示している
。
【０３１７】
図２３に示す構造の場合、第１の基板の有機発光素子１６２１Ｒ、１６２１Ｇ、１６２
１Ｂが形成されていない部分、例えばＴＦＴ１６２０Ｒ、１６２０Ｇ、１６２０Ｂが形成
されている部分などにおいて第２の基板に形成された有機発光素子１６１１Ｗから出射さ
れた白色光のみが第１の基板を通過する。よって、その部分において白色の光が浮いて見
えてしまう場合がある。そのような場合には、第１の基板上に形成した第１の電極の端部
を覆う絶縁物（隔壁）１６２８に着色し、この隔壁１６２８をブラックマトリクスとして
機能させる構成とすればよい。隔壁１６２８を着色するには、微粒子顔料を分散させた樹
脂材料を用いて隔壁を形成するようにすればよい。
【０３１８】
また、図２３の構成において、第１の基板と第２の基板の配置を入れ替えた構成につい
て図２４を用いて説明する。図２４においては、周辺駆動回路やＦＰＣとの接続部分につ
いては示しておらず、画素部分のうち１画素における断面図を示している。
図２４において、図２３と共通の構成には同じ記号が付してある。
【０３１９】
図２４に記載の表示装置の作製工程は図２３に記載の表示装置の作製工程と同様に行え
ばよいが、図２４に記載の表示装置の場合、第１の基板に形成されている有機発光素子１
６２１Ｒ、１６２１Ｇ、１６２１Ｂの第１の電極は、反射機能を有する電極とし、第２の
電極は透明導電膜で形成する。また、第２の基板に形成されている有機発光素子１６１１
Ｗの第１の電極及び第２の電極は透明導電膜で形成する。
【０３２０】
図２４に示す表示装置において、第１の基板に形成された有機発光素子１６２１Ｒ、１
６２１Ｇ、１６２１Ｂは第１の基板の有機発光素子１６２１Ｒ、１６２１Ｇ、１６２１Ｂ
が形成されている面の方向に発光する。つまり、有機発光素子１６２１Ｒ、１６２１Ｇ、
１６２１Ｂからの発光は第２の基板の方向に出射する。また、第２の基板に形成された有
機発光素子１６１１Ｗは、第２の基板の両面の方向に発光する。１６１１Ｗから第１の基
板の方向へ出射した光は、第１の基板に形成された有機発光素子１６２１Ｒ、１６２１Ｇ
、１６２１Ｂの第１の電極（反射機能を有する電極）で反射されて第２の基板の方向に進
む。よって、第２の基板を通過した各有機発光素子の発光による表示を観察者が視認でき
る構造となっている。つまり、第２の基板に表示画面が形成された構造となっている。
なお、図２４において、白抜きの矢印が各有機発光素子からの発光の方向を示している
。
【０３２１】
図２４に示す表示装置においては、第２の基板の、有機発光素子１６２１Ｒ、１６２１
Ｇ、１６２１Ｂからの発光が通過する部分には、有機発光素子１６１１Ｗが形成されてい
る。よって、第２の基板の、有機発光素子１６２１Ｒ、１６２１Ｇ、１６２１Ｂからの発
光が通過する部分には、隔壁１６０８が存在しない構造となっているため、有機発光素子
１６２１Ｒ、１６２１Ｇ、１６２１Ｂからの発光が透過しやすい構造となっている。
【０３２２】
加えて、層間絶縁膜１６０２と保護膜１６０３は有機発光素子の発光に対する透過率の
高い材料を用いることによって有機発光素子１６２１Ｒ、１６２１Ｇ、１６２１Ｂからの
発光が透過し易くなるようにする。さらに透過率を高めるため、有機発光素子１６２１Ｒ
、１６２１Ｇ、１６２１Ｂからの発光が通過する部分において、層間絶縁膜１６０２また
は保護膜１６０３を選択的に除去した構造としてもよい。
【０３２３】
図２３、２４において、有機発光素子を駆動するためのＴＦＴはトップゲイト構造のも
のを用いた例が示されているが、ＴＦＴの構造はトップゲイトに限定されず、ボトムゲイ
ト構造のＴＦＴなど公知のＴＦＴの構造を用いることができる。
【０３２４】
また、図２３、２４の表示装置は表示装置の片方の面にのみ表示画面が形成された構造
となっているが、表示装置の両面に表示画面が形成される構造（第１の基板及び第２の基
板に表示画面が形成される構造）とすることも可能である。
その場合には、第１の基板に形成されている有機発光素子１６２１Ｒ、１６２１Ｇ、１
６２１Ｂ、及び第２の基板に形成されている有機発光素子１６１１Ｗの第１の電極及び第
２の電極を透明導電膜で形成すればよい。
【０３２５】
なお、本実施例においては、第２の基板に白色の有機発光素子を形成した実施の形態１
における例を示したが、他の実施の形態や他の実施例の場合にも適用できるものである。
【実施例４】
【０３２６】
本実施例においては、本発明において両面表示を行う場合に、第１の基板及び第２の基
板を通して向こう側の景色が見えないようにする構成例について図３１を用いて説明する
。
【０３２７】
図３１は、両面表示を行う表示装置の断面図を示す。白抜きの矢印は発光方向を示す。
図３１（Ａ）において、４０００は第１の基板、４００１は第２の基板である。図示し
ていないが、第１の基板４０００、第２の基板４００１はそれぞれ一方の面に両面発光型
の有機発光素子が形成されている。そして、第１の基板４０００と第２の基板４００１は
、互いに有機発光素子が形成されている面同士が対向するようにシール材４００２、４０
０３によって封止されることによりパネルが構成されている。そして、封止された第１の
基板及び第２の基板を挟んで、光の偏光方向が直交するように第１の偏光板４００４と第
２の偏光板４００５が配置されている。第１の偏光板４００４と第２の偏光板４００５の
２枚の偏光板は、光の偏光方向が直交するように配置することで外光を遮断することがで
きる。また、パネルからの発光は１枚の偏光板のみを通過するため表示を行うことができ
る。よって、このように第１の偏光板４００４及び第２の偏光板４００５を設けることに
よって発光して表示を行う部分以外は黒になり、第１の基板側、第２の基板側のどちらの
表示画面から見ても背景が透けて見えることがないようにできるため、表示画面を認識し
にくくなるのを防ぐことができる。
【０３２８】
また、第１の基板４０００と第１の偏光板４００４との間、及び第２の基板４００１と
第２の偏光板４００５との間にλ／４波長板を設ける構成としても良い。この構成例につ
いて図３１（Ｂ）に示す。
図３１（Ｂ）において、図３１（Ａ）と同じ構成のものは同じ符号を付している。
図３１（Ｂ）において、図３１（Ａ）と異なる点は、第１の基板４０００と第１の偏光板
４００４との間に第１のλ／４波長板４００６が設けられ、第２の基板４００１と第２の
偏光板４００５との間に第２のλ／４波長板４００７が設けられている点である。第１の
基板と第１の偏光板との間、及び第２の基板と第２の偏光板との間にλ／４波長板を設け
る構成とすることにより、第１の基板及び第２の基板を通して向こう側の景色がみえない
ようにすることができることに加え、外光がパネルにおいて反射することによるコントラ
ストの低下を防止することができる。
【０３２９】
図３１（Ａ）、（Ｂ）においては、第１の基板と第１の偏光板との間、第１の基板と第
１のλ／４波長板との間、第１のλ／４波長板と第１の偏光板との間をあけて記載してお
り、第２の基板と第２の偏光板との間、第２の基板と第２の第１のλ／４波長板との間、
第２の第１のλ／４波長板と第２の偏光板との間をあけて記載しているが、特に限定され
ず、互いに接するように設けても良い。
【０３３０】
また、図３１の構成において、第１の偏光板４００４と第１のλ／４波長板４００６と
の間に第１のλ／２波長板を設け、第１の偏光板４００５と第２のλ／４波長板４００７
との間に第２のλ／２波長板を設ける構成としても良い。
【０３３１】
なお、本実施例においては、両面表示を行う場合に、第１の基板及び第２の基板を通し
て向こう側の景色が見えないようにする構成例について説明した。
片面表示を行う場合には、第１の基板及び第２の基板を通して向こう側の景色が見えな
いようにする必要はないため、偏光板を設ける必要はないが、外光がパネルにおいて反射
することによるコントラストの低下を防ぐ必要がある。よって、片面表示の場合には、表
示画面と観察者との間にλ／４波長板を設ける構成や、表示画面と観察者との間にλ／４
波長板及びλ／２波長板を設ける構成とすると、外光がパネルにおいて反射することによ
るコントラストの低下を防ぐことができる。
【０３３２】
なお、本実施例は、以上で説明したどの構成の表示装置においても実施することができ
るものであり、実施の形態１〜７、及び実施例１〜４の全てに適用することが可能である
。
【実施例５】
【０３３３】
本発明を実施して得た表示装置を組み込むことによって様々な電子機器を作製することが
できる。電子機器としては、ビデオカメラ、デジタルカメラ、ゴーグル型ディスプレイ（
ヘッドマウントディスプレイ）、ナビゲーションシステム、音響再生装置（カーオーディ
オ、オーディオコンポ等）、ノート型パーソナルコンピュータ、ゲーム機器、携帯情報端
末（モバイルコンピュータ、携帯電話、携帯型ゲーム機または電子書籍等）、記録媒体を
備えた画像再生装置（具体的にはＤｉｇｉｔａｌ  Ｖｅｒｓａｔｉｌｅ  Ｄｉｓｃ（ＤＶ
Ｄ）等の記録媒体を再生し、その画像を表示しうるディスプレイを備えた装置）などが挙
げられる。それらの電子機器の具体例を図２５、２６に示す。
【０３３４】
図２５（Ａ）はテレビであり、筐体２００１、支持台２００２、表示部２００３、スピ
ーカー部２００４、ビデオ入力端子２００５等を含む。本発明は表示部２００３に適用す
ることができる。なお、パソコン用、ＴＶ放送受信用、広告表示用などの全ての情報表示
用のテレビが含まれる。
【０３３５】
図２５（Ｂ）はデジタルカメラであり、本体２１０１、表示部２１０２、受像部２１０
３、操作キー２１０４、外部接続ポート２１０５、シャッター２１０６等を含む。本発明
は、表示部２１０２に適用することができる。
【０３３６】
図２５（Ｃ）はノート型パーソナルコンピュータであり、本体２２０１、筐体２２０２
、表示部２２０３、キーボード２２０４、外部接続ポート２２０５、ポインティングマウ
ス２２０６等を含む。本発明は、表示部２２０３に適用することができる。
【０３３７】
図２５（Ｄ）はモバイルコンピュータであり、本体２３０１、表示部２３０２、スイッ
チ２３０３、操作キー２３０４、赤外線ポート２３０５等を含む。本発明は、表示部２３
０２に適用することができる。
【０３３８】
図２５（Ｅ）は記録媒体を備えた携帯型の画像再生装置（具体的にはＤＶＤ再生装置）
であり、本体２４０１、筐体２４０２、表示部Ａ２４０３、表示部Ｂ２４０４、記録媒体
（ＤＶＤ等）読み込み部２４０５、操作キー２４０６、スピーカー部２４０７等を含む。
表示部Ａ２４０３は主として画像情報を表示し、表示部Ｂ２４０４は主として文字情報を
表示するが、本発明は表示部Ａ、Ｂ２４０３、２４０４に適用することができる。なお、
記録媒体を備えた画像再生装置には家庭用ゲーム機器なども含まれる。
【０３３９】
図２５（Ｆ）はゲーム機器であり、本体２５０１、表示部２５０５、操作スイッチ２５
０４等を含む。
【０３４０】
図２５（Ｇ）はビデオカメラであり、本体２６０１、表示部２６０２、筐体２６０３、
外部接続ポート２６０４、リモコン受信部２６０５、受像部２６０６、バッテリー２６０
７、音声入力部２６０８、操作キー２６０９、接眼部２６１０等を含む。本発明は、表示
部２６０２に適用することができる。
【０３４１】
図２５（Ｈ）は携帯電話であり、本体２７０１、筐体２７０２、表示部２７０３、音声
入力部２７０４、音声出力部２７０５、操作キー２７０６、外部接続ポート２７０７、ア
ンテナ２７０８等を含む。本発明は、表示部２７０３に適用することができる。
【０３４２】
図２６はオーディオプレイヤーであり、本体２８０１、ハーフミラーの全面パネル２８
０２、操作キー２８０３、イヤホン２８０４等を含む。ハーフミラーの全面パネル２８０
２の一部が表示部となっている。ハーフミラーの全面パネルは、表示部で表示が行われな
いときにはほぼ鏡のようになっている。本発明の表示装置は、ハーフミラー２８０２の一
部に形成される表示部に適用することができる。
【０３４３】
以上に挙げた電子機器の例において、デジタルカメラ、ノート型パーソナルコンピュー
ター、ゲーム機器、ビデオカメラ、携帯電話などは、自由に持ち運びができるため、屋外
でも屋内でも使用する。このような使用形態の場合、屋内と屋外で周囲の明るさが異なる
ため、屋内と屋外で表示画面の最適な明るさ（視認しやすい明るさ）が異なる。そこで、
このような使用形態の電子機器において、赤色、緑色、青色の有機発光素子が設けられた
基板と、白色の有機発光素子が設けられた基板とを貼り合わせた構造のパネルとし、周囲
の明るさを検知するための光センサーを設けて、光センサーで検知した周囲の明るさに応
じて白色の有機発光素子の輝度を変化させる構成とすれば、電子機器の周囲の明るさの変
化に伴って表示画面の明るさを調整することができる。
【０３４４】
以上の様に、本発明を実施して得た表示装置は、あらゆる電子機器の表示部として用い
ても良い。なお、本実施例の電子機器には、実施の形態１〜７、実施例１〜４のいずれの
構成を用いて作製された発光装置を用いても良い。
【符号の説明】
【０３４５】
１００  第１の基板
１０１  第２の基板
１０２  表示画面
１０３  ＦＰＣ
１０４  ＦＰＣ
１０５  第１の電極
１０６  有機化合物を含む層
１０７  第２の電極
１０８  第２の電極
１０９  有機化合物を含む層
１１０  第２の電極
１１１  第２の電極
１１２  有機化合物を含む層
１１３  第１の電極
１１４  第２の電極
１１５  有機化合物を含む層
１１６  第１の電極
１２０  有機発光素子
１２１  有機発光素子
１２２  有機発光素子
１２３  有機発光素子
１３０  周辺駆動回路
１３１  周辺駆動回路
２０１  赤色発光領域
２０２  緑色発光領域
２０３  青色発光領域
２０４  白色発光領域
２０５  発光領域
２０６  発光領域
２０７  発光領域
３００  緑色発光領域
３０１  赤色発光領域
３０２  青色発光領域
３０３  白色発光領域
３０４  発光領域
３０５  発光領域
３０６  発光領域
３０７  発光領域
４００  第１の基板
４０１  第２の基板
４０２  第１の電極
４０３  有機化合物を含む層
４０４  第２の電極
４０５  第１の電極
４０６  有機化合物を含む層
４０７  第２の電極
４０８  有機発光素子
４０９  有機発光素子
４１０  第１の電極
４１１  有機化合物を含む層
４１２  第２の電極
４１３  第１の電極
４１４  有機化合物を含む層
４１５  第２の電極
４１６  有機発光素子
４１７  有機発光素子
５００  緑色発光領域
５０１  赤色発光領域
５０２  青色発領域
５０３  白色発領域
５０４  発光領域
５０５  発光領域
５０６  発光領域
５０７  発光領域
５０８  発光領域
５０９  発光領域
６００  第１の基板
６０１  第２の基板
６０２  第１の電極
６０３  有機化合物を含む層
６０４  第２の電極
６０５  第１の電極
６０６  有機化合物を含む層
６０７  第２の電極
６０８  有機発光素子
６０９  有機発光素子
６１０  第１の電極
６１１  有機化合物を含む層
６１２  第２の電極
６１３  有機発光素子
６１４  有機化合物を含む層
６１５  第２の電極
６１６  有機発光素子
６１７  有機発光素子
７００  赤色発光領域
７０１  緑色発光領域
７０２  青色発光領域
７０３  イエロー発光領域
７０４  マゼンダ発光領域
７０５  シアン発光領域
７０６  発光領域
７０７  発光領域
７０８  発光領域
７０９  発光領域
７１０  発光領域
７１１  発光領域
７１２  発光領域
７１３  発光領域
７１４  発光領域
７１５  発光領域
７１６  発光領域
７１７  発光領域
７１８  発光領域
７１９  発光領域
７２０  発光領域
８００  第１の基板
８０１  第２の基板
８０２  第１の電極
８０３  有機化合物を含む層
８０４  第２の電極
８０５  第１の電極
８０６  有機化合物を含む層
８０７  第２の電極
８０８  第１の電極
８０９  有機化合物を含む層
８１０  第２の電極
８１１  有機発光素子
８１２  有機発光素子
８１３  有機発光素子
８２１  第１の電極
８２２  有機化合物を含む層
８２３  第２の電極
８２４  第１の電極
８２５  有機化合物を含む層
８２６  第２の電極
８２７  有機発光素子
８２８  有機発光素子
８２９  有機発光素子
９００  赤色発光領域
９０１  緑色発光領域
９０２  青色発光領域
９０３  緑色発光領域の一部
９０４  青色発光領域
９０５  赤色発光領域
９０６  緑色発光領域の一部
９０７  発光領域
９０８  発光領域
９０９  発光領域
９１０  発光領域
９１１  発光領域
９１２  発光領域
９１３  発光領域
９１４  発光領域
９１５  発光領域
１０００  第１の基板
１００１  第２の基板
１００２  第１の電極
１００３  有機化合物を含む層
１００４  第２の電極
１００５  第１の電極
１００６  有機化合物を含む層
１００７  第２の電極
１００８  第１の電極
１００９  有機化合物を含む層
１０１０  第２の電極
１０１１  有機発光素子
１０１２  有機発光素子
１０１３  有機発光素子
１０１４  第１の電極
１０１５  有機化合物を含む層
１０１６  第２の電極
１０１７  第１の電極
１０１８  有機化合物を含む層
１０１９  第２の電極
１０２０  第１の電極
１０２１  有機化合物を含む層
１０２２  第２の電極
１０２３  第１の電極
１０２４  有機化合物を含む層
１０２５  第２の電極
１０２６  有機発光素子
１０２７  有機発光素子
１０２８  有機発光素子
１０２９  有機発光素子
１１００  青色のドット
１１０１  青色のドット
１１０２  青色のドット
１１０３  青色のドット
１１０４  青色のドット
１２００  赤色発光領域
１２０１  緑色発光領域
１２０２  青色発光領域
１２０３  白色発光領域
１２０４  白色発光領域
１２０５  白色発光領域
１２０６  発光領域
１２０７  発光領域
１２０８  発光領域
１３００  第１の基板
１３０１  第２の基板
１３０２  第１の電極
１３０３  有機化合物を含む層
１３０４  第２の電極
１３０５  第１の電極
１３０６  有機化合物を含む層
１３０７  第２の電極
１３０８  第１の電極
１３０９  有機化合物を含む層
１３１０  第２の電極
１３１１  有機発光素子
１３１２  有機発光素子
１３１３  有機発光素子
１３１４  第１の電極
１３１５  有機化合物を含む層
１３１６  第２の電極
１３１７  第１の電極
１３１８  有機化合物を含む層
１３１９  第２の電極
１３２０  第１の電極
１３２１  有機化合物を含む層
１３２２  第２の電極
１３２３  有機発光素子
１３２４  有機発光素子
１３２５  有機発光素子
１４００  赤色発光領域
１４０１  緑色発光領域
１４０２  青色発光領域
１４０３  赤色発光領域
１４０４  緑色発光領域
１４０５  青色発光領域
１４０６  赤色発光領域
１４０７  緑色発光領域
１４０８  青色発光領域
１４１０  シアン発光領域
１４１１  マゼンダ発光領域
１４１２  イエロー発光領域
１４１３  発光領域
１４１４  発光領域
１４１５  発光領域
１４１６  発光領域
１４１７  発光領域
１４１８  発光領域
１４１９  発光領域
１４２０  発光領域
１４２１  発光領域
１５００  第１の基板
１５０１  第２の基板
１５０５  第１の電極
１５０６  有機化合物層
１５０７  第１の電極
１５０８  第２の電極
１５０９  有機化合物層
１５１０  第１の電極
１５１１  第２の電極
１５１２  有機化合物層
１５１３  第１の電極
１５１４  第２の電極
１５１５  有機化合物層
１５１６  第１の電極
１５２０  有機発光素子
１５２１  有機発光素子
１５２２  有機発光素子
１５２３  有機発光素子
１５３０  第３の基板
１６０１  第１の基板
１６０２  絶縁膜
１６０３  保護膜
１６０５  シール材
１６０６  第２の基板
１６０７  充填材
１６０８  絶縁物
１６１０Ｗ  ＴＦＴ
１６１１Ｗ  有機発光素子
１６１２  絶縁膜
１６１３  保護膜
１６１４  引き回し配線
１６１５  引き回し配線
１６１６  接続端子
１６１８  ＦＰＣ
１６１９  異方性導電膜
１６２０Ｒ  ＴＦＴ
１６２０Ｇ  ＴＦＴ
１６２０Ｂ  ＴＦＴ
１６２１Ｒ  有機発光素子
１６２１Ｇ  有機発光素子
１６２１Ｂ  有機発光素子
１６２４  引き回し配線
１６２５  引き回し配線
１６２８  絶縁物
１６３６  接続端子
１６３９  異方性導電膜
１６４０  第１の電極
１６４１  第１の電極
１６４２  保護膜
１６４３  保護膜
１６５０  ＴＦＴ
１６５１  ＴＦＴ
２００１  筐体
２００２  支持台
２００３  表示部
２００４  スピーカー部
２００５  ビデオ入力端子
２１０１  本体
２１０２  表示部
２１０３  受像部
２１０４  操作キー
２１０５  外部接続ポート
２１０６  シャッター
２２０１  本体
２２０２  筐体
２２０３  表示部
２２０４  キーボード
２２０５  外部接続ポート
２２０６  ポインティングマウス
２３０１  本体
２３０２  表示部
２３０３  スイッチ
２３０４  操作キー
２３０５  赤外線ポート
２４０１  本体
２４０２  筐体
２４０３  表示部Ａ
２４０４  表示部Ｂ
２４０５  記録媒体読込部
２４０６  操作キー
２４０７  スピーカー部
２５０１  本体
２５０４  操作スイッチ
２５０５  表示部
２６０１  本体
２６０２  表示部
２６０３  筐体
２６０４  外部接続ポート
２６０５  リモコン受信部
２６０６  受像部
２６０７  バッテリー
２６０９  操作キー
２６１０  接眼部
２７０１  本体
２７０２  筐体
２７０３  表示部
２７０４  音声入力部
２７０５  音声出力部
２７０６  操作キー
２７０７  外部接続ポート
２７０８  アンテナ
２８０１  本体
２８０２  全面パネル
２８０３  操作キー
２８０４  イヤホン
３０００  緑色発光領域
３００１  赤色発光領域
３００２  青色発光領域
３００３  白色発光領域
３００４  発光領域
３００５  発光領域
３１００  赤色発光領域
３１０１  緑色発光領域
３１０２  青色発光領域
３１０３  青色発光領域
３１０４  赤色発光領域
３１０５  緑色発光領域
３１０６  発光領域
３１０７  発光領域
３１０８  発光領域
４０００  第１の基板
４００１  第２の基板
４００２  シール材
４００３  シール材
４００４  第１の偏光板
４００５  第２の偏光板
４００６  第１のλ／４波長板
４００７  第２のλ／４波長板
【図１】
2011023359.tif 000003
【図２】
2011023359.tif 000004
【図３】
2011023359.tif 000005
【図４】
2011023359.tif 000006
【図５】
2011023359.tif 000007
【図６】
2011023359.tif 000008
【図７】
2011023359.tif 000009
【図８】
2011023359.tif 000010
【図９】
2011023359.tif 000011
【図１０】
2011023359.tif 000012
【図１１】
2011023359.tif 000013
【図１２】
2011023359.tif 000014
【図１３】
2011023359.tif 000015
【図１４】
2011023359.tif 000016
【図１５】
2011023359.tif 000017
【図１６】
2011023359.tif 000018
【図１７】
2011023359.tif 000019
【図１８】
2011023359.tif 000020
【図１９】
2011023359.tif 000021
【図２０】
2011023359.tif 000022
【図２１】
2011023359.tif 000023
【図２２】
2011023359.tif 000024
【図２３】
2011023359.tif 000025
【図２４】
2011023359.tif 000026
【図２５】
2011023359.tif 000027
【図２６】
2011023359.tif 000028
【図２７】
2011023359.tif 000029
【図２８】
2011023359.tif 000030
【図２９】
2011023359.tif 000031
【図３０】
2011023359.tif 000032
【図３１】
2011023359.tif 000033